(57)【特許請求の範囲】
【請求項１】
データ記録可能とされるとともに複数の記録媒体処理装置にて使用可能とされた第１記録媒体を受け付ける記録媒体挿入口と、
前記記録媒体の挿入方向先端位置に形成され、その記録媒体処理装置においてのみ使用可能とされた１枚の第２記録媒体が待機可能な待機領域部と、前記両記録媒体の記録情報を少なくとも読み取る記録媒体処理部が設けられ、前記待機領域部と前記記録媒体挿入口との間に形成される記録媒体処理領域部とから成り、前記カード挿入口に連通する記録媒体搬送路と、
前記記録媒体処理領域部内に位置する記録媒体を搬送する第１搬送部と、
前記待機領域部に位置する前記第２記録媒体を搬送する第２搬送部と、
前記第１搬送部と前記第２搬送部とを個別に駆動可能な駆動部と、
前記記録媒体挿入口の近傍位置に設けられ、少なくとも前記記録媒体挿入口からの前記第１記録媒体の挿入を検出するための第１検出部と、
前記第１検出部による前記第１記録媒体の検出に基づき、該検出された第１記録媒体を前記第１搬送部が前記記録媒体処理部に対応する所定の停止位置に搬送するように前記駆動部を動作させるとともに、所定の排出条件の成立に基づき前記記録媒体処理部に対応する所定の停止位置に存在する前記第１記録媒体を前記第１搬送部が前記記録媒体挿入口に搬送するように前記駆動部を動作させ、且つ、所定の発行指示入力に基づき前記待機領域部に待機している前記第２記録媒体を前記第１搬送部と前記第２搬送部とが前記記録媒体処理部に対応する所定の停止位置に搬送するように前記駆動部を動作させるとともに、所定の回収条件の成立に基づき前記記録媒体処理部に対応する所定の停止位置に存在する前記第２記録媒体を前記第１搬送部と前記第２搬送部とが前記待機領域部に搬送するように前記駆動部を動作させる制御部と、
を具備することを特徴とする記録媒体処理装置。
【請求項２】
前記記録媒体処理部は、前記記録媒体に対して記録情報の書き込み或いは書き換え（更新）を実施可能とされている請求項１に記載の記録媒体処理装置。
【請求項３】
前記記録媒体が非接触ＩＣ記録媒体であって、前記記録媒体処理部は該非接触ＩＣ記録媒体と非接触にて記録情報の読み取り或いは読み取り／書き込み（更新）を実施可能とされている請求項１または２に記載の記録媒体処理装置。
【請求項４】
前記制御部は、所定の発行指示入力に基づき前記待機領域部から前記記録媒体処理部に対応する所定の停止位置に搬送した第２記録媒体を、前記記録媒体処理部による処理の完了後に、該第２記録媒体を外部から目視確認可能な位置まで前記第１搬送部が搬送するように前記駆動部を動作させるとともに、該目視確認可能な位置にある第２記録媒体を前記記録媒体処理部に対応する所定の停止位置に前記第１搬送部が再度搬送するように前記駆動部を動作させる請求項１〜３のいずれかに記載の記録媒体処理装置。
【請求項５】
前記各搬送部は、前記駆動部による駆動力が伝達される主搬送ベルトと、該主搬送ベルトと前記記録媒体搬送路を挟んだ対向位置に設けられて前記主搬送ベルトが駆動されることにより駆動力が伝達される従搬送ベルトと、から成り、前記従搬送ベルトを前記主搬送ベルト側に可動可能に付勢する付勢部を備える請求項１〜４のいずれかに記載の記録媒体処理装置。
【請求項６】
前記記録媒体処理領域部に配置され、前記記録媒体挿入口より挿入されて前記第１搬送部により前記記録媒体処理部に対応する所定の停止位置に搬送される前記第１記録媒体が前記停止位置に近接したことを検出する第２検出部を備え、前記制御部は、前記駆動部の駆動中における前記第２検出部による前記第１記録媒体の検出に基づき、前記駆動部を該検出した時から更に予め設定されたステップ数分の駆動にて停止させる請求項１〜５のいずれかに記載の記録媒体処理装置。
【請求項７】
前記記録媒体処理領域部に配置され、前記第２搬送部により前記待機領域部から前記記録媒体処理部に対応する所定の停止位置に搬送される前記第２記録媒体が前記停止位置に近接したことを検出する第３検出部を備え、前記制御部は、前記駆動部の駆動中における前記第３検出部による前記第２記録媒体の検出に基づき、前記駆動部を該検出した時から更に予め設定されたステップ数分の駆動にて停止させる請求項１〜６のいずれかに記載の記録媒体処理装置。
【請求項８】
前記第２記録媒体は、前記待機領域部において前記第２搬送部に狭持された状態とされている請求項１〜７のいずれかに記載の記録媒体処理装置。
【請求項９】
前記駆動部は、前記第１搬送部を駆動する第１駆動部と、前記第２搬送部を駆動する第２駆動部とから構成されている請求項１〜８のいずれかに記載の記録媒体処理装置。
【請求項１０】
前記記録媒体挿入口からの記録媒体の挿入を阻止する阻止片を備え、前記制御部は、少なくとも前記記録媒体処理領域部内に前記記録媒体が存在する場合においては、前記阻止片を阻止状態とする請求項１〜９のいずれかに記載の記録媒体処理装置。
【請求項１１】
前記阻止片による阻止状態の実施／解除を外部より受け付ける阻止受付け部を有する請求項１０に記載の記録媒体処理装置。
【請求項１２】
前記主搬送ベルト並びに前記駆動部とを備える基台と、前記従搬送ベルトを備える開閉可能なカバーとで構成される請求項５〜１１のいずれかに記載の記録媒体処理装置。
【請求項１３】
前記記録媒体処理部並びに前記制御部を、前記基台側に有する請求項１２に記載の記録媒体処理装置。
【請求項１４】
前記第１搬送部は、搬送方向の両脇位置に２組の前記主搬送ベルトと前記従搬送ベルトを有するとともに、該２組の搬送ベルトの間に位置する領域に前記記録媒体処理部を有する請求項５〜１３のいずれかに記載の記録媒体処理装置。
【請求項１５】
前記第２搬送部が１組の前記主搬送ベルトと前記従搬送ベルトにて形成され、前記第１搬送部の２組の搬送ベルト間に位置するように設けられている請求項１４に記載の記録媒体処理装置。
【請求項１６】
前記待機領域部に前記第２記録媒体が存在するか否かを検出する待機検出部と、該第２記録媒体の待機／非待機を識別可能に出力する待機状況出力部と、を備える請求項１〜１５のいずれかに記載の記録媒体処理装置。
【請求項１７】
前記第１記録媒体と前記第２記録媒体とは搬送方向の長さが異なり、前記制御部は、これら長さが異なる双方の記録媒体を、前記記録媒体処理部に対応する所定の停止位置に停止するように前記駆動部を制御する請求項１〜１６のいずれかに記載の記録媒体処理装置。
【請求項１８】
遊技に使用可能な遊技用有価価値の大きさを特定可能な情報が記録された記録媒体である遊技用記録媒体の記録情報より特定される大きさの遊技用有価価値を遊技に使用させるための使用処理と、
貨幣を受け付けて該受け付け貨幣の金額の範囲内における所定額に相当する大きさの遊技用有価価値が付与された前記第２記録媒体を発行する発行処理と、
予め会員登録を行った会員遊技者に対して発行された前記第１記録媒体を受け付け、該第１記録媒体に残存する遊技用有価価値の大きさに受け付けた貨幣の金額の範囲内における所定額に相当する大きさの遊技用有価価値を加算更新する価値加算処理と、
を実施可能とされ、遊技機に対応して設けられた遊技用装置であって、
前記各処理において、前記第１記録媒体或いは前記第２記録媒体の記録情報を少なくとも読み出す記録媒体処理装置として前記請求項１〜１７のいずれかに記載の記録媒体処理装置を用いたことを特徴とする遊技用装置。
【発明の詳細な説明】
【０００１】
【発明の属する技術の分野】
本発明は、各種の情報、例えば遊技に使用可能な遊技用有価価値の大きさを特定可能な情報（データ）が記録された記録媒体を受け付けて、少なくとも該記録媒体の記録情報の読み出しを行う記録媒体処理装置及び該記録媒体処理装置を用いた遊技用装置に関する。
【０００２】
【従来の技術】
近年、例えば遊技場においては、プリペイドカ−ド等の記録媒体により遊技媒体であるパチンコ玉やコイン等を貸出して遊技を実施できる遊技用装置が使用されており、これらプリペイドカ−ド等の遊技用記録媒体の発行装置が遊技場内の遊技島端等に設置されている。
【０００３】
これらプリペイドカ−ド等の記録媒体（遊技用記録媒体）を使用する場合においては、遊技者が前記プリペイドカ−ド等の遊技用記録媒体に残存する遊技用有価価値を全て遊技に使用した場合に、遊技を継続して実施するには、新たなプリペイドカ−ド等の遊技用記録媒体を前記遊技島端等に設置されている発行装置に出向いて購入する必要があり、面倒であるばかりか、これら新たなプリペイドカ−ドの購入に伴って遊技機が占有されたまま放置されるようになるため遊技機の稼働率が低下してしまうことから、遊技機に対応して該遊技機の側方等に設置されたカードユニット等の遊技用装置に現金を投入し、そのカードユニットにおいてのみ使用することが可能な新たなプリペイドカ−ドの発行を席に居ながらにして受けられる遊技用装置が一部実用化されてきている。
【０００４】
一方、近年においては遊技場を初めとして各種の店舗や企業において、顧客の固定化や情報収集並びに顧客へのサービス向上のために会員カードを発行しているが、遊技用にあっては、これら会員カードを用いて複数の前記カードユニットにおいて従来のプリペイドカードと同様に遊技を実施できるようにした遊技用装置等が提案されてきている。
【０００５】
【発明が解決しようとする課題】
しかしながら、これら複数のカードユニットにて遊技に使用可能とされた例えば会員カードと、前記したように各カードユニットにて発行されてそのカードユニットおいてのみ使用することが可能とされたプリペイドカードのように、これら種別の異なるカードを、前記カードユニット等の遊技用装置にて利用できるようにするためには、前記プリペイドカードの発行や該プリペイドカードを受け付けて前記遊技媒体の貸出処理を行うプリペイドカード用のカードリーダ等の記録媒体処理装置と、前記会員カード用のカードリーダライタ等の記録媒体処理装置とを個別に設ける必要があるが、前記カードユニット等の遊技用装置は、より多くの遊技機を限られた遊技島上のスペースに設置可能とするために極力その幅を少ないものとすることが好ましいことから、これら２つの個別のカードリーダライタを設けるのは内部スペースの問題からかなり困難であり遊技用装置の大幅な設計変更が必要となってしまうという問題があるとともに、これら複数のカードリーダライタを設けると、装置自体のコストが大幅に上昇してしまうという問題もあった。
【０００６】
よって、本発明は上記した問題点に着目してなされたもので、前記プリペイドカードのような発行されたカードユニットのみにて使用可能な記録媒体と、前記会員カードのように複数のカードユニットにおいて使用可能な記録媒体の双方を、１つの記録媒体処理にて処理可能とすることで、省スペースに対応でき且つ装置自体のコストが大幅に上昇してしまうことのない記録媒体処理装置および該記録媒体処理装置を用いた遊技用装置を提供することを目的としている。
【０００７】
【課題を解決するための手段】
前記した問題を解決するために、本発明の記録媒体処理装置は、データ記録可能とされるとともに複数の記録媒体処理装置にて使用可能とされた第１記録媒体を受け付ける記録媒体挿入口と、
前記記録媒体の挿入方向先端位置に形成され、その記録媒体処理装置においてのみ使用可能とされた１枚の第２記録媒体が待機可能な待機領域部と、前記両記録媒体の記録情報を少なくとも読み取る記録媒体処理部が設けられ、前記待機領域部と前記記録媒体挿入口との間に形成される記録媒体処理領域部とから成り、前記カード挿入口に連通する記録媒体搬送路と、
前記記録媒体処理領域部内に位置する記録媒体を搬送する第１搬送部と、
前記待機領域部に位置する前記第２記録媒体を搬送する第２搬送部と、
前記第１搬送部と前記第２搬送部とを個別に駆動可能な駆動部と、
前記記録媒体挿入口の近傍位置に設けられ、少なくとも前記記録媒体挿入口からの前記第１記録媒体の挿入を検出するための第１検出部と、
前記第１検出部による前記第１記録媒体の検出に基づき、該検出された第１記録媒体を前記第１搬送部が前記記録媒体処理部に対応する所定の停止位置に搬送するように前記駆動部を動作させるとともに、所定の排出条件の成立に基づき前記記録媒体処理部に対応する所定の停止位置に存在する前記第１記録媒体を前記第１搬送部が前記記録媒体挿入口に搬送するように前記駆動部を動作させ、且つ、所定の発行指示入力に基づき前記待機領域部に待機している前記第２記録媒体を前記第１搬送部と前記第２搬送部とが前記記録媒体処理部に対応する所定の停止位置に搬送するように前記駆動部を動作させるとともに、所定の回収条件の成立に基づき前記記録媒体処理部に対応する所定の停止位置に存在する前記第２記録媒体を前記第１搬送部と前記第２搬送部とが前記待機領域部に搬送するように前記駆動部を動作させる制御部と、
を具備することを特徴としている。
この特徴によれば、その記録媒体処理装置でのみ使用可能な前記第２記録媒体と、複数の記録媒体処理装置で使用可能な前記第１記録媒体の処理を、同一の記録媒体処理装置にて実施できるようになる。
【０００８】
本発明の記録媒体処理装置は、前記記録媒体処理部は、前記記録媒体に対して記録情報の書き込み或いは書き換え（更新）を実施可能とされていることが好ましい。
このようにすれば、記録情報の書き込み或いは書き換え（更新）用の処理部を別途設ける必要がない。
【０００９】
本発明の記録媒体処理装置は、前記記録媒体が非接触ＩＣ記録媒体であって、前記記録媒体処理部は該非接触ＩＣ記録媒体と非接触にて記録情報の読み取り或いは読み取り／書き込み（更新）を実施可能とされていることが好ましい。
このようにすれば、記録情報の読み取り或いは読み取り／書き込み（更新）が非接触状態で実施されることから、記録媒体の損耗を低減できる。
【００１０】
本発明の記録媒体処理装置は、前記制御部は、所定の発行指示入力に基づき前記待機領域部から前記記録媒体処理部に対応する所定の停止位置に搬送した第２記録媒体を、前記記録媒体処理部による処理の完了後に、該第２記録媒体を外部から目視確認可能な位置まで前記第１搬送部が搬送するように前記駆動部を動作させるとともに、該目視確認可能な位置にある第２記録媒体を前記記録媒体処理部に対応する所定の停止位置に前記第１搬送部が再度搬送するように前記駆動部を動作させることが好ましい。
このようにすれば、その装置でしか使用できない前記第２記録媒体の発行処理において、これら発行された第２記録媒体を利用者は目視確認できるとともに、該発行された第２記録媒体が自動的に挿入されるようになり、これら発行された第２記録媒体の挿入操作を行う手間を省くことができる。
【００１１】
本発明の記録媒体処理装置は、前記各搬送部は、前記駆動部による駆動力が伝達される主搬送ベルトと、該主搬送ベルトと前記記録媒体搬送路を挟んだ対向位置に設けられて前記主搬送ベルトが駆動されることにより駆動力が伝達される従搬送ベルトと、から成り、前記従搬送ベルトを前記主搬送ベルト側に可動可能に付勢する付勢部を備えることが好ましい。
このようにすれば、前記記録媒体に多少の厚みのばらつきがあっても良好に搬送できるとともに、カードの傷つき等の損耗も低減できる。
【００１２】
本発明の記録媒体処理装置は、前記記録媒体処理領域部に配置され、前記記録媒体挿入口より挿入されて前記第１搬送部により前記記録媒体処理部に対応する所定の停止位置に搬送される前記第１記録媒体が前記停止位置に近接したことを検出する第２検出部を備え、前記制御部は、前記駆動部の駆動中における前記第２検出部による前記第１記録媒体の検出に基づき、前記駆動部を該検出した時から更に予め設定されたステップ数分の駆動にて停止させることが好ましい。
このようにすれば、前記記録媒体挿入口より挿入された前記第１記録媒体を前記停止位置に高精度にて停止することができ、前記記録媒体処理部による読み出しや書き込み等の処理の精度も向上できる。
【００１３】
本発明の記録媒体処理装置は、前記記録媒体処理領域部に配置され、前記第２搬送部により前記待機領域部から前記記録媒体処理部に対応する所定の停止位置に搬送される前記第２記録媒体が前記停止位置に近接したことを検出する第３検出部を備え、前記制御部は、前記駆動部の駆動中における前記第３検出部による前記第２記録媒体の検出に基づき、前記駆動部を該検出した時から更に予め設定されたステップ数分の駆動にて停止させることが好ましい。
このようにすれば、前記待機領域部から搬送された前記第２記録媒体を前記停止位置に高精度にて停止することができ、前記記録媒体処理部による読み出しや書き込み等の処理の精度も向上できる。
【００１４】
本発明の記録媒体処理装置は、前記第２記録媒体は、前記待機領域部において前記第２搬送部に狭持された状態とされていることが好ましい。
このようにすれば、待機している第２記録媒体の搬送を迅速に行うことができる。
【００１５】
本発明の記録媒体処理装置は、前記駆動部は、前記第１搬送部を駆動する第１駆動部と、前記第２搬送部を駆動する第２駆動部とから構成されていることが好ましい。
このようにすれば、前記第１搬送部と第２搬送部とを個別に駆動するためのクラッチ機構等の複雑な駆動力分配機構が不要となるばかりりか、これら個別駆動のための制御も行い易くできる。
【００１６】
本発明の記録媒体処理装置は、前記記録媒体挿入口からの記録媒体の挿入を阻止する阻止片を備え、前記制御部は、少なくとも前記記録媒体処理領域部内に前記記録媒体が存在する場合においては、前記阻止片を阻止状態とすることが好ましい。
このようにすれば、前記記録媒体処理領域部内に前記記録媒体が存在する場合において前記記録媒体挿入口から他の記録媒体が誤って挿入されてしまうことによる故障を防止できるとともに、装置内部に処理中の記録媒体が存在することが解るようになる。
【００１７】
本発明の記録媒体処理装置は、前記阻止片による阻止状態の実施／解除を外部より受け付ける阻止受付け部を有することが好ましい。
このようにすれば、例えば前記第２記録媒体の発行に伴う現金の受付け時や前記第１記録媒体の返却操作時等において、外部から前記阻止状態の実施／解除を制御できる。
【００１８】
本発明の記録媒体処理装置は、前記主搬送ベルト並びに前記駆動部とを備える基台と、前記従搬送ベルトを備える開閉可能なカバーとで構成されることが好ましい。
このようにすれば、前記記録媒体搬送路内に記録媒体の詰まり等を生じた場合に、これら詰まった記録媒体を簡便に取り出すことができ、装置のメンテナンス性を向上できる。
【００１９】
本発明の記録媒体処理装置は、前記記録媒体処理部並びに前記制御部を、前記基台側に有することが好ましい。
このようにすれば、前記記録媒体処理部並びに前記制御部が前記カバーの開閉に伴って動くことがなく、これら記録媒体処理部並びに制御部の故障発生の危険性を低減できる。
【００２０】
本発明の記録媒体処理装置は、前記第１搬送部は、搬送方向の両脇位置に２組の前記主搬送ベルトと前記従搬送ベルトを有するとともに、該２組の搬送ベルトの間に位置する領域に前記記録媒体処理部を有することが好ましい。
このようにすれば、前記第２搬送部の各搬送ベルトに影響されることなく前記記録媒体処理部を記録媒体に近接或いは当接できるようになるため、前記記録媒体処理部による処理精度を向上できる。
【００２１】
本発明の記録媒体処理装置は、前記第２搬送部が１組の前記主搬送ベルトと前記従搬送ベルトにて形成され、前記第１搬送部の２組の搬送ベルト間に位置するように設けられていることが好ましい。
このようにすれば、前記第２搬送部と第１搬送部との間の記録媒体の移動をより円滑に実施でき、これら記録媒体の詰まり等の発生を低減できる。
【００２２】
本発明の記録媒体処理装置は、前記待機領域部に前記第２記録媒体が存在するか否かを検出する待機検出部と、該第２記録媒体の待機／非待機を識別可能に出力する待機状況出力部と、を備えることが好ましい。
このようにすれば、外部の機器が前記第２記録媒体の待機／非待機を識別できるようになる。
【００２３】
本発明の記録媒体処理装置は、前記第１記録媒体と前記第２記録媒体とは搬送方向の長さが異なり、前記制御部は、これら長さが異なる双方の記録媒体を、前記記録媒体処理部に対応する所定の停止位置に停止するように前記駆動部を制御することが好ましい。
このようにすれば、前記搬送方向長さが異なる前記第１記録媒体と第２記録媒体とを同一の記録媒体処理装置にて扱うことができる。
【００２４】
本発明の遊技用装置は、遊技に使用可能な遊技用有価価値の大きさを特定可能な情報が記録された記録媒体である遊技用記録媒体の記録情報より特定される大きさの遊技用有価価値を遊技に使用させるための使用処理と、
貨幣を受け付けて該受け付け貨幣の金額の範囲内における所定額に相当する大きさの遊技用有価価値が付与された前記第２記録媒体を発行する発行処理と、
予め会員登録を行った会員遊技者に対して発行された前記第１記録媒体を受け付け、該第１記録媒体に残存する遊技用有価価値の大きさに受け付けた貨幣の金額の範囲内における所定額に相当する大きさの遊技用有価価値を加算更新する価値加算処理と、
を実施可能とされ、遊技機に対応して設けられた遊技用装置であって、
前記各処理において、前記第１記録媒体或いは前記第２記録媒体の記録情報を少なくとも読み出す記録媒体処理装置として前記請求項１〜１７のいずれかに記載の記録媒体処理装置を用いたことを特徴としている。
この特徴によれば、その記録媒体処理装置でのみ使用可能な前記第２記録媒体と、複数の記録媒体処理装置で使用可能な前記第１記録媒体の処理を、同一の記録媒体処理装置にて実施できるようになるため、大幅な設計変更を必要とせずに異なる種別の記録媒体に対応できる遊技用装置を得られるばかりか、装置自体のコストが大幅に上昇してしまうこともない。
【００２５】
【発明の実施の形態】
以下、図面に基づいて本発明の実施形態を説明する。尚、以下の実施例においては、記録媒体処理装置であるＩＣカードリーダライタを遊技機であるパチンコ機に対応して設けられた遊技用装置であるカードユニットに用いた例を示すが、本発明はこれに限定されるものではなく、これら記録媒体処理装置をその他の機器に用いることが可能なことは言うまでもない。
【００２６】
（実施例）
図１は本発明の実施例における遊技用装置としてのカードユニット３を用いた遊技用システムの構成を示す図であり、該遊技用システムは、遊技場において複数配置された遊技島に並設される遊技機としてのカードリーダ式パチンコ機（以下パチンコ機）２と、該パチンコ機２に対して１対１に設置され、遊技媒体であるパチンコ玉の貸出処理が可能とされた前記カードユニット３と、遊技場の所定箇所に設置され、前記カードユニット３にて使用される後述の会員カード３７並びにビジターカード３８の管理等を行う管理コンピュータ１００と、から主に構成されており、該管理コンピュータ１００は、前記カードユニット３と通信ケーブル８を介してデータ通信可能に接続されている。
【００２７】
初めに、本実施例にて用いた記録媒体について説明すると、本実施例では図６（ａ）に示すような、予め会員登録をした会員遊技者に対して発行される会員カード３７と、前記カードユニット３にて発行されるビジターカード３８の２種類の記録媒体であるＩＣカードを用いている。
【００２８】
まず、本実施例に用いた第１記録媒体としての会員カード３７について説明すると、該会員カード３７は、図６（ａ）に示すように、略長方形のカード型に形成されており、その中央位置には、該会員カード３７をＣＤ−ＲＷドライブに挿入した際に、該ＣＤ−ＲＷドライブの回転子に装着可能な装着孔８１が形成されているとともに、該装着孔８１の外周部には光学的にデータの記録並びに読み取りが可能な光記録部８２が設けられていて、これら光記録部８２に会員向けの種々の情報等を記録できるようになっている。
【００２９】
また、前記装着孔８１の外周部には、非接触にて記録データの入出力（送受信）を行うためのアンテナコイル８３と、記録データを電気的に書き換え可能に記憶する集積回路（ＩＣ）８４とが、前記装着孔８１と同心円状に設けられており、これら会員カード３７は、前記カードユニット３内に設けられている後述するＩＣカードリーダライタ３２７に挿入されることで、該カードリーダライタ３２７の通信ヘッド３６５から出力される電磁波が前記アンテナコイル８３に誘導起電力を生じさせて前記集積回路８４が動作可能に付勢されるとともに、前記アンテナコイル８３を介して前記カードリーダライタ３２７との各種のデータ通信を電磁波により非接触にて実施可能とされている。
【００３０】
また、これら会員カード３７における集積回路８４の内部メモリには、各会員カード３７を個別に識別可能な会員ＩＤが書き換え不可に記録されているとともに、前記カードリーダライタ３２７とのデータ通信により、残存する度数の情報が書き換え可能に記録されている。
【００３１】
次いで、本実施例にて用いた第２記録媒体であるビジターカード３８について説明すると、該ビジターカード３８は、図６（ｂ）に示すように、一辺の長さが前記会員カード３７の短編の長さとほぼ等しい略正方形のカード状に形成されており、該ビジターカード３７の略中央部には、前記会員カード３７におけるアンテナコイル８３並びに集積回路８４と同一構成とされたアンテナコイル９１並びに集積回路９２が設けられた構成とされていて、前記会員カード３７同様に前記カードリーダライタ３２７との各種のデータ通信を電磁波により非接触にて実施可能とされている。
【００３２】
また、これらビジターカード３８における集積回路９２の内部メモリには、前記カードリーダライタ３２７とのデータ通信により、度数情報が書き換え可能に記録されるようになっている。
【００３３】
このように、本実施例では記録媒体として非接触にて記録データの入出力（送受信）が可能は非接触ＩＣカードを使用しており、このようにすることは、データの読み取りや書き込み等における記録媒体の損耗を低減でき、記録媒体の可使期間を長くできることから好ましいが、本発明はこれに限定されるものではなく、これら記録媒体を接触式のＩＣカードとしたり、記録データを磁気的に記録する磁気カードとしても良い。
【００３４】
また、本実施例では前記会員カード３７に前記光記録部８２を設けているが、このようにすることは、比較的大容量の情報を記録して会員遊技者に提供できるようになることから好ましいが、本発明はこれに限定されるものではない。
【００３５】
また、本実施例ではビジターカード３８の寸法を、会員カード３７よりも短い正方形型としているが、このようにすることは、これらビジターカード３８を格納に必要な長さを短くでき、該ビジターカード３８を発行する前記カードリーダライタ３２７の寸法を短くできることから好ましいが、本発明はこれに限定されるものではなく、これらビジターカード３８を前記会員カード３７の寸法と同一のものとしても良いし、逆に前記会員カード３７の寸法をビジターカード３８と同一のものとし、双方のカードの寸法を同じにしても良い。
【００３６】
次いで、本実施例に用いた遊技機であるパチンコ機２について簡単に説明すると、該パチンコ機２は、図２に示すように、額縁状に形成されたガラス扉枠２０２を有し、該ガラス扉枠２０２の下部表面には打球供給皿２０３がある。打球供給皿２０３の上面所定箇所には、操作部１４が設けられているとともに、打球供給皿２０３の下部には、打球供給皿２０３から溢れた景品玉を貯留する余剰玉受皿２０４と打球を発射する打球操作ハンドル（以下操作ノブ）２０５とが設けられている。
【００３７】
前記操作部１４の上面には、図３に示すように、遊技者により前記カードユニット３において前記会員カード３７やビジターカード３８より読み出された度数等を表示する度数表示部１７と、遊技の開始または前記打球供給皿２０３に持玉が少なくなったか無くなった際に押圧操作されて、前記度数表示部１７に度数が存在する場合に所定数量のパチンコ玉の貸出を実施する貸出ボタン１６と、前記会員カード３７を受付け中の場合において遊技を終了し、該受付け中の会員カード３７を返却させるための返却ボタン１５と、が設けられており、これら各部は操作部１４内部に設けられている操作基板１８上に実装されている。
【００３８】
前記ガラス扉枠２０２の後方には、図２に示すように、遊技盤２０６が着脱可能に取付けられている。また、遊技盤２０６の前面には遊技領域２０７が設けられている。この遊技領域２０７の中央付近には、「特別図柄」と呼ばれる複数種類の識別情報が可変表示される可変表示部２０９と、「普通図柄」と呼ばれる複数種類の識別情報が可変表示される可変表示装置２１０とが設けられている。また遊技盤２０６には、複数の入賞口２２４や通過ゲート２１１、始動入賞口２１４、可変入賞球装置２１６が設けられているとともに、遊技領域２０７の下部には、入賞しなかった打込玉を回収するアウト口２２６が形成されている。
【００３９】
前記打球操作ノブ２０５の操作によって揺動されるハンマー（図示略）によって発射された打玉は、打球レールを通って遊技領域２０７に入り、その後、遊技領域２０７を流下していく。この際、発射勢いが弱すぎて前記遊技領域２０７に達しなかったパチンコ玉は、環流経路（図示略）を通じて前記余剰玉受皿２０４に環流されるようになっている。
【００４０】
また、前記遊技領域２０７に打ち込まれた打込玉が通過ゲート２１１を通過すると、可変表示装置２１０に停止表示されている普通図柄が可変開始する。
【００４１】
可変表示装置２１０の可変表示動作後の表示結果が予め定められた特定の表示結果（たとえば７）となった場合に、始動入賞口２１４に設けられた可動片２１５が所定時間開成して遊技者にとって有利な状態となる。
【００４２】
また、始動入賞口２１４にパチンコ玉が入賞すると、可変表示部２０９において全特別図柄が可変表示（変動表示）を開始する。そして、その後、左、中、右の特別図柄が停止し、その停止表示結果が予め定められた特定の表示態様（たとえば７７７）となった場合に、特定遊技状態（大当り状態）が発生する。このように大当り状態が発生した場合には、可変入賞球装置２１６に設けられた開閉板２２０が開成して遊技者にとって有利な第１の状態となる。この第１の状態は、所定期間（たとえば３０秒間）の経過または打玉の所定個数（たとえば１０個）の入賞のうちいずれか早い方の条件が成立することにより終了し、その後、遊技者にとって不利な第２の状態となる。第１の状態となっている可変入賞球装置２１６の大入賞口内に進入した打玉が特定入賞領域（Ｖポケット）に入賞して図示しないＶカウントスイッチにより検出されれば、その回の第１の状態の終了を待って前記第２の状態から前記第１の状態に制御する繰返し継続制御が行なわれる。この繰返し継続制御の上限回数は例えば１５回と定められている。
【００４３】
これらパチンコ機２の構成を図５に基づいて説明すると、該パチンコ機２には、前記可変表示部２０９の表示制御を行う表示制御基板２８０と、図示しない玉タンクに供給されたパチンコ玉の払出を実施する玉払出装置２９７に接続され、後述の遊技制御基板２３１から出力される賞球信号並びにカードユニット３より入出力される各種信号に基づきパチンコ玉の払出制御を行う賞球制御基板２３７と、遊技効果ランプ等の制御を実施するランプ制御基板２３５と、スピーカから出力される音声の制御を行う音声制御基板２７０と、前記打球操作ハンドル２０５の操作に基づき打球供給皿２０３に払い出されたパチンコ玉を遊技領域２０７に発射する打球発射装置の制御を行う発射制御基板２９１と、これら各部の制御を実施する遊技制御基板２３１と、が設けられており、これらは図５に示すように接続され、前述の打球供給皿２０３に払い出されたパチンコ玉を使用して遊技を実施できるようになっている。
【００４４】
また、前記賞球制御基板２３７は、前記カードユニット３の制御ユニット３２８（図４並びに図５参照）に信号ケーブル９を介して接続されており、後述の台端末貸出完了信号（ＥＸＳ）や台ＲＥＡＤＹ信号（ＰＲＤＹ）が前記カードユニット３の制御ユニット３２８に出力されるようになっているとともに、前記カードユニット３の制御ユニット３２８より出力される後述のカードユニットＲＥＡＤＹ信号（ＢＲＤＹ）や台端末貸出要求完了確認信号（ＢＲＱ）が入力されるようになっている。
【００４５】
また、前記操作基板１８は、前述の賞球制御基板の信号ケーブル９とともにカードユニット３に接続されており、前記貸出ボタン１６が操作されて遊技者による玉貸し操作がなされた場合に出力される貸出入力信号や、返却ボタン１５が操作された場合に出力される返却入力信号が前記カードユニット３の制御ユニット３２８に出力されるようになっているとともに、該制御ユニット３２８より出力される前記度数表示部１７の度数表示信号が入力されるようになっている。
【００４６】
次に、本実施例における遊技用装置としてのカードユニット３について説明すると、該カードユニット３の前面には、図２に示すように、点灯によりカードユニット３の動作を報知する動作ランプ３０１と、紙幣を挿入可能とされた紙幣挿入口３０２と、硬貨が投入可能とされた硬貨投入口３０３と、投入した硬貨の返却を実施する硬貨返却ボタン３０４と、後述の貸出処理における貸出単位（１回の貸出操作で使用される度数の大きさ）が変更可能である場合に点灯される変更可能ランプ３０５と、該変更可能ランプ３０５が点灯中に操作されることで前記貸出単位を変更する貸出単位変更ボタン３０６と、前記貸出単位等が表示される貸出単位表示部３０７と、後述の度数表示部３０９の表示内容を度数の端数表示等に変更表示させるための端数ボタン３０８と、前記会員カード３７やビジターカード３８から読み出された度数等が表示される度数表示部３０９と、対応する遊技機の機種を点灯により示す機種設定ランプ３１０と、対応する遊技機の連結方向を示す方向指示ランプ３１１と、後述するカードリーダライタ３２７に会員カード３７が挿入中である旨を示す挿入中ランプ３１２と、前記硬貨返却ボタン３０４が操作された場合等に硬貨が返却される硬貨返却口３１３並びに該硬貨返却口３１３より排出された硬貨の落下を防止する受部３１３’と、受付け中の会員カード３７から読み出された貯蓄玉数に基づく払い戻し可能回数等が表示される会員カード表示部３１４と、暗証番号等の入力を行うテンキー３１５と、該テンキー３１５にて入力した暗証番号を決定する場合や、前記貯蓄玉数の払い戻しを実施するためのエンターキー３１６と、会員カード３７を受付けた場合に、該会員カードに記録された度数を用いて遊技を実施するか、若しくは該会員カード３７の会員ＩＤにより特定される貯蓄玉数を用いて遊技を実施するかを選択する貯玉再プレイ選択ボタン３１７と、前記会員カード３７が挿入可能とされるとともに、前記ビジターカード３８が発行されるカード発行・挿入口３１８と、該カード発行・挿入口３１８の前方に突出する態様にて被覆し、中央に会員カード３７の挿入並びに抜き取りが可能なスリットを有するとともに、発行されるビジターカード３８の抜き取りを規制する抜き取り防止部材３１９と、が設けられている。
【００４７】
このカードユニット３の構成を４並びに図５に基づいて説明すると、該カードユニット３は、前記変更可能ランプ３０５や貸出単位変更ボタン３０６、貸出単位表示部３０７、端数ボタン３０８、度数表示部３０９、機種設定ランプ３１０、方向指示ランプ３１１、挿入中ランプ３１２、これら貸出単位表示部３０７や度数表示部３０９の表示ドライバ（図示略）等が実装され、これら各部と後述の制御ユニット３２８との制御信号の入出力等が行われる第１操作基板３２０と、前記会員カード表示部３１４やテンキー３１５、エンターキー３１６、貯玉再プレイ選択ボタン３１７、前記会員カード表示部３１４の表示ドライバ（図示略）等が実装され、これら各部と前記制御ユニット３２８との制御信号の入出力等が行われる第２操作基板３２１と、前記紙幣挿入口３０２に連設され、挿入された紙幣が正規の１０００円札紙幣であるかの識別を行う紙幣識別ユニット３２２と、前記硬貨投入口３０３に硬貨投入路３２３を介して連設され、投入された硬貨が正規の５００円硬貨であるかの識別を行う硬貨識別ユニット３２４と、前記カード発行・挿入口３１８に挿入された会員カード３７や発行されるビジターカード３８の記録情報の読み出し並びに書き込み等を行うカードリーダライタ３２７と、前記紙幣識別ユニット３２２や硬貨識別ユニット３２４並びにカードリーダライタ３２７との各種信号の入出力が行われるＩ／Ｏポート３３２ａや、前記第１操作基板３２０並びに前記第２操作基板３２１と動作ランプ３０１に接続されて各種信号の入出力が行われるＩ／Ｏポート３３２ｂと、前記パチンコ機２の賞球制御基板２３７や操作基板１８との各種信号の入出力が行われるＩ／Ｏポート３３２Ｃと、前記管理コンピュータ１００とのデータ通信を行うための通信部３３４と、これら各部の制御や前記操作基板１８に実装された度数表示部１７の制御等を実施するＭＰＵ３２９やワークメモリ等として使用されるＲＡＭ３３０、前記ＭＰＵ３２９が実行する制御内容が記述された制御プログラム等が記憶されたＲＯＭ３３１等が設けられた制御ユニット３２８と、を具備しており、これら各部は図５に示すように接続されている。
【００４８】
本実施例のカードユニット３は、図４に示すようにカードユニット３本体とその上下位置に設けられたスライドレール部３１’にて係合し、該カードユニット３本体を前面方向に引き出し可能に保持するユニットホルダ３１を介して遊技島に設置されていて、該ユニットホルダ３１には、各種接続ケーブルを中継するためのコネクタが設けられており、制御ユニット３２８と前記管理コンピュータ１００とを接続するケーブルも、該ユニットホルダ３１を介して中継接続されていて、これらケーブルが前記カードユニット３本体の引き出し時に絡まり、カードユニット３本体が引き出せなくなってしまうことがないようになっている。
【００４９】
また、本実施例に用いた前記紙幣識別ユニット３２２は、その後端側（紙幣挿入先端側）が紙幣回収路を介して遊技島内を横断するように架設された紙幣搬送路（図示略）に連結されており、該紙幣識別ユニット３２２において挿入された紙幣が正規の１０００円札紙幣であると識別した場合には、該識別した紙幣を前記紙幣搬送路に送り出すとともに、正規の１０００円札紙幣ではないと識別した場合には該紙幣を前記紙幣挿入口３０２から返却するようになっている。
【００５０】
また、本実施例に用いた前記硬貨識別ユニット３２４は、図４に示すように、硬貨返却路３２５を介して前記硬貨返却口３１３に連設されているとともに、硬貨回収路３２６並びに硬貨回収樋（図示略）を介して遊技島内を横断するように架設されたコイン搬送路（図示略）に連結されており、該硬貨識別ユニット３２４において投入された硬貨が正規の５００円硬貨であると識別した場合には、該識別した５００円硬貨を前記コイン搬送路に排出するとともに、正規の５００円硬貨ではないと識別した場合には前記硬貨返却口３１３から返却するようになっている。
【００５１】
次いで、これら各カードユニット３が図１に示すように接続され、前記会員カード３７並びにビジターカード３８の管理を行う前記管理コンピュータ１００は、図８に示すように、コンピュータ内部にてデータの送受を行うデータバス１０１に、該管理コンピュータ１００が実施する各種処理や後述のカード管理ＤＢの更新処理等を行うＣＰＵ１０２、ワークメモリ等として使用されるＲＡＭ１０３、時刻情報やカレンダ情報を出力するＲＴＣ１０４、磁気ディスクや光磁気ディスクから成る記憶装置１０５、キーボードやマウス等の入力装置１０６、各種情報を表示出力する表示装置１０７、各種情報をプリント出力するプリンタ１０８、前記カードユニット３とのデータ通信を行う通信部１０９、が接続された通常のコンピュータである。
【００５２】
また、前記記憶装置１０５には、該管理コンピュータ１００の処理を実施するための処理プログラムに加えて、図９（ａ）に示すように、会員カード３７の会員ＩＤ毎に、当該会員カード３７の暗証番号並びに使用状態（使用中、待機）と、現在使用されているカードユニット３の装置ＩＤ（待機の場合は登録されず）と、その時点の残存度数と、その時点の貯蓄玉数とが登録された会員カードマスターテーブルと、図９（ｂ）に示すように、各カードユニット３の装置ＩＤ毎に、そのカードユニット３のカードリーダライタ３２７内に待機されているビジターカード３８のカードＩＤと、当該カードユニット３にて貸出に使用された総度数と、ビジターカード３８により使用された使用度数と、会員カード３７から使用された使用度数と、が登録されたカードユニット別データテーブルと、から構成されるカード管理データベース（ＤＢ）が記憶されており、該カード管理ＤＢにおける登録データは、前記カードユニット３から送信される各種情報に基づいて逐次最新のデータに更新されるようになっている。
【００５３】
この管理コンピュータ１００に接続された本実施例の前記カードユニット３においては、前記会員カード３７がカード発行・挿入口３１８より挿入されている場合に紙幣或いは硬貨が前記紙幣挿入口３０２或いは硬貨投入口３０３より投入された場合には、該投入金額に相当する遊技用有価価値である度数（１０００円であれば１０度数、５００円であれば５度数）が、挿入されている会員カード３７に残存している度数に加算される価値加算処理と、該加算された遊技用有価価値である度数をパチンコ玉数の貸出に使用するための使用処理と、前記会員カード３７が挿入されていない場合に紙幣或いは硬貨が前記紙幣挿入口３０２或いは硬貨投入口３０３より投入された場合には、該投入金額に相当する遊技用有価価値である度数（１０００円であれば１０度数、５００円であれば５度数）が付与されたビジターカード３８が前記カード発行・挿入口３１８に目視可能に排出された後、自動的に再挿入されて前記付与された度数の全てがパチンコ玉の貸出に使用されてビジターカード３８が回収される発行処理と、以前の遊技にて貯蓄した貯蓄玉数を再度遊技に使用することのできる払い戻し処理と、を行うようになっている。
【００５４】
まず、前記使用処理について説明すると、まず、前記カードユニット３のカード発行・挿入口３１８にに会員カード３７が挿入されると、カードリーダライタ３２７により該挿入された会員カード３７から会員ＩＤと度数とを読み出して前記ＲＡＭ３３０に記憶するとともに、暗証番号の入力待ち状態となる。
【００５５】
カードユニット３は、この状態で暗証番号が入力されると、該入力された暗証番号と前記ＲＡＭ３３０に記憶されている会員ＩＤと度数とを各カードユニットに個別に付与された装置ＩＤとともに前記管理コンピュータ１００に送信する。
【００５６】
これら暗証番号、会員ＩＤ、度数並びに装置ＩＤとを受信した管理コンピュータ１００は、前記会員カードマスターテーブルにて受信した会員ＩＤに対応して登録されている暗証番号、度数並びに貯蓄玉数を抽出し、前記カードユニット３より受信した暗証番号並びに度数と該抽出した暗証番号並びに度数とを比較照合し、照合が一致した場合において前記使用状態を使用中に変更するとともに、前記装置ＩＤを会員カードマスターテーブルに更新登録し、前記抽出した貯蓄玉数のデータと使用許諾の所定データとを送信元のカードユニット３に返信する。
【００５７】
これら貯蓄玉数のデータと使用許諾の所定データとを受信した場合には、挿入された会員カード３７を使用可能とし、前記記憶した度数を前記度数表示部３０９並びにパチンコ機２の度数表示部１７に表示するとともに、前記記憶した貯蓄玉数に基づき算出した払い戻し可能回数を会員カード表示部３１４に表示する。
【００５８】
尚、前記暗証番号の照合が一致しない場合や、管理コンピュータ１００から使用不可を受信した場合には、挿入された会員カード３７は使用不可として返却される。
【００５９】
この前記度数表示部３０９並びにパチンコ機２の度数表示部１７に度数が残存する場合に前記貸出ボタン１６が入力されることで、該度数を使用してパチンコ機２の遊技に使用されるパチンコ玉の貸出が実施される。
【００６０】
この貸出処理の制御状況を図７に基づき説明すると、前記パチンコ機２の賞球制御基板２３７は、前記カードユニット３と接続されて通信が可能な状態であるとスタンバイ状態となり、前記ＰＲＤＹをＬＯＷとする（Ｓ１）。
【００６１】
このようにＰＲＤＹが出力されている状態において前記貸出ボタン１６が操作されると、カードユニット３の制御ユニット３２８は、前記ＢＲＤＹをＬＯＷとし（Ｓ２）、この状態において、更に前記ＢＲＱをＬＯＷとする（Ｓ３）。
【００６２】
次いで、前記賞球制御基板２３７は、前記ＢＲＤＹのＬＯＷを検出した状態においてＢＲＱのＬＯＷを検出すると、パチンコ玉の払い出しが可能であるか確認し、可能である場合には、前記ＥＸＳをＬＯＷとする（Ｓ４）。
【００６３】
該ＥＸＳのＬＯＷを検出した制御ユニット３２８は、前記ＢＲＱをＨＩＧＨとし（Ｓ５）、該ＢＲＱのＨＩＧＨを検出した賞球制御基板２３７は、玉払出装置２９７に玉払出信号を出力し、これに基づき１度数に該当する玉数（本実施例では２５玉）の払出が実施されるとともに、該払出の終了に基づき、前記ＥＸＳをＨＩＧＨとする（Ｓ６）。
【００６４】
該ＥＸＳのＨＩＧＨを検出した制御ユニット３２８は、前記記憶した度数から１度を減算するとともに、前記度数表示部１７に表示されている度数から１度を減算して表示更新する。
【００６５】
制御ユニット３２８は、これら（Ｓ３）〜（Ｓ６）の信号制御並びに度数の減算更新制御、前記貸出信号の出力制御を、貸出度数分繰返し実施し、これら制御が終了した後、ＢＲＤＹをＨＩＧＨとして（Ｓ７）、貸出処理を終了する。
【００６６】
この会員カード３７による貸出処理の終了時に制御ユニット３２８は、会員カードによる貸出処理がなされたことを示す会員貸出完了情報と挿入されている会員カード３７の会員ＩＤと貸出に使用された使用度数と装置ＩＤとを管理コンピュータ１００に対して送信するようになっている。
【００６７】
このようにカードユニット３の制御ユニット３２８から出力されるＢＲＱのＨＩＧＨの検出回数に基づき、前記賞球制御基板２３７は１度分に該当する数量（２５玉）のパチンコ玉の貸出を実施するようになっており、このようにして貸出されたパチンコ玉を使用して遊技者はパチンコ機２における遊技を実施できるようになっている。
【００６８】
尚、本実施例においては、前記Ｓ６が終了した段階で１度を減算するようにしているが、前記Ｓ３〜Ｓ６の処理を貸し出される度数分（例えば５度分の貸出であれば５回）繰返し実施した後、すなわち、貸し出される度数分のパチンコ玉が払い出された後、該貸し出された度数（例えば５度分の貸出であれば５度）を減算するようにしても良い。
【００６９】
また、本実施例のカードユニット３においては、前記会員カード３７が受付けられている状態で、貯玉再プレイ選択ボタン３１７にて貯蓄が選択された場合に、エンターキー３１６が操作されることで、前記管理コンピュータ１００から返信されて記憶された貯蓄玉数を使用して所定玉数の払い戻しをパチンコ機２に行わせる払い戻し処理が実施される。
【００７０】
この払い戻し処理の制御について説明すると、前記会員カード３７が受付けられており、前記貯玉再プレイ選択ボタン３１７にて貯蓄が選択され、かつ記憶されている貯蓄玉数が残存する状態においてエンターキー３１６が入力されると、前述の貸出処理とほぼ同様の要領でパチンコ機２における所定玉数（例えば１２５玉）の払出が実施される。
【００７１】
この際、前記記憶されている貯蓄玉数を払い出された玉数分減算更新し、会員カード表示部３１４に表示されている払い戻し可能回数を１回分減算更新する。また、この際、貯蓄玉数の払い戻しがなされた旨を示す払い戻し完了情報と払い戻し玉数と受付け中の会員カード３７の会員ＩＤと装置ＩＤとを管理コンピュータ１００に対して送信するようになっている。
【００７２】
次いで、前記価値加算処理について説明すると、会員カード３７が受付け中の状態において１０００円札紙幣または５００円硬貨が挿入または投入され、紙幣識別ユニット３２２または硬貨識別ユニット３２４により挿入された１０００円札紙幣または投入された５００円硬貨の金額が識別されると、前記制御ユニット３２８は前記識別された金額（１０００円または５００円）を一時記憶する。
【００７３】
次いで制御ユニット３２８は、前記記憶した金額（１０００円または５００円）を度数（１０度または５度）に変換し、該変換した度数を前記受付け中の会員カード３７より読み出して記憶している度数に加算更新するとともに、前記度数表示部３０９並びに度数表示部１７に表示されている度数を、前記加算更新した度数に表示更新することで、遊技者は前記加算更新された度数に基づく前記貸出処理の実施が行えるようになっている。
【００７４】
また、この追加入金が実施された際に制御ユニット３２８は、追加入金がなされたことを示す入金完了情報と挿入されている会員カード３７の会員ＩＤと追加入金により加算された入金度数（１０度または５度）とを管理コンピュータ１００に対して送信することで、該管理コンピュータ１００に登録されている前記会員カードマスターテーブルの残度数が更新されるようになっている。
【００７５】
また、本実施例のカードユニット３においては、前記返却ボタン１５が入力されると、前記記憶されている度数を受付け中の会員カード３７の記録情報に更新記録した後、カード発行・挿入口３１８より排出して遊技者に返却されるようになっている。この際、制御ユニット３２８は、返却された会員カード３７の会員ＩＤと返却がなされたことを示す返却情報とを管理コンピュータ１００に送信するようになっている。
【００７６】
また、前記カードユニット３においては、前記会員カード３７が受付け中ではない状態にて１０００円札紙幣または５００円硬貨が識別されると、該識別された金額（１０００円または５００円）に相当する度数（１０度または５度）が記録されたビジターカード３８の発行処理が実施可能とされている。
【００７７】
このビジターカード３８の発行処理について説明すると、会員カード３７が受付け中ではない状態において１０００円札紙幣または５００円硬貨が挿入または投入され、紙幣識別ユニット３２２または硬貨識別ユニット３２４により挿入された１０００円札紙幣または投入された５００円硬貨の金額が識別されると、前記制御ユニット３２８は前記識別された金額（１０００円または５００円）を一時記憶する。
【００７８】
次いで制御ユニット３２８は、前記記憶した金額（１０００円または５００円）を度数（１０度または５度）に変換し、カードリーダライタ３２７内の後述する待機位置に格納されているビジターカード３８を所定の記録位置まで移動させて該変換した度数を記録した後、カード発行・挿入口３１８から発行・排出する。尚、この発行の際、ビジターカード３８は目視確認可能ではあるが前記抜き取り防止部材３１９から突出しない抜き取り不能な所定位置に排出される。
【００７９】
これら発行されたビジターカード３８は、所定時間（本実施例では１秒間）経過後にカードリーダライタ３２７内に再び取り込まれ、該取り込んだビジターカード３８に記録された度数を読み取られて記憶されるとともに、該記憶された度数が度数表示部３０９並びに度数表示部１７に表示された後、その全度数が前記使用処理に使用されて記録度数が０度に更新され、再びカードリーダライタ３２７内の前記待機位置に回収される。
【００８０】
また、この発行処理によりビジターカード３８が発行され、これに基づく貸出処理の終了時に制御ユニット３２８は、前記ビジターカード３８による貸出処理がなされたことを示すビジター貸出完了情報と貸出処理に使用された使用度数（１０度または５度）とを管理コンピュータ１００に対して送信するようになっている。
【００８１】
これら本実施例のカードユニット３に用いられている記録媒体処理装置としての前記カードリーダライタ３２７について以下に詳述すると、本実施例のカードリーダライタ３２７は、図１０並びに図１１に示すように、駆動部を構成する第１駆動部としての第１駆動モータ３５２ａと第２駆動部としての第２駆動モータ３５２ｂ並びにこれら各駆動モータ３５２ａ、３５２ｂにて駆動される主搬送ベルト３５３ａ（３５３ａ’）並びに主搬送ベルト３５４ａとを備える基台３５０と、該基台３５０に対し回動軸３５７を中心に開閉可能とされ、前記主搬送ベルト３５３ａ（３５３ａ’）並びに主搬送ベルト３５４ａと対向して設けられ、且つ付勢部としてのスプリング３５８にて前記主搬送ベルト３５４ａ（３５３ａ’）側に付勢されて前記主搬送ベルト３５３ａ（３５３ａ’）、３５４ａの回動に伴って回動するように回動自在とされた従搬送ベルト３５３ｂ、３５４ｂを備え、前記基台３５０との間に前記カード発行・挿入口３１８に連通する記録媒体搬送路としてのカード搬送路３６０を形成するカバー３５９と、から主に構成されており、前記基台３５０側となる基台３５０が固定された格納ケース３５６の内部には、カードリーダライタ３２７全体の動作を制御する制御部としてのコントロール基板３６２と、該コントロール基板３６２に接続され、その先端部に前記会員カード３７並びにビジターカード３８との非接触による記録データの入出力（送受信）を実施可能な記録媒体処理部としての前記通信ヘッド３６５を有するリードライト基板３６３と、が固設され、該リードライト基板３６３とコントロール基板３６２は図示しない基板間コネクタにより接続されている。
【００８２】
これら本実施例のように、前記カバー３５９を開閉可能とすることは、前記カード搬送路３６０内に各種カードが詰まった場合等に、その除去を容易に実施することができるとともに、前記各搬送ベルト等のメンテナンスやカード搬送路３６０内の清掃等のメンテナンスを容易に実施できるようになることから好ましいが、本発明はこれに限定されるものではない。
【００８３】
また、本実施例のように、前記従搬送ベルトを主搬送ベルト方向に前記スプリング３５８にて付勢するようにすることは、前記両カードに多少の厚みのばらつきがあっても、これらのばらつきを吸収してカードを良好に搬送できるとともに、搬送に伴うカードの傷つき等の損耗も低減でき、カードの可使期間を長くできることから好ましいが、本発明はこれに限定されるものではない。
【００８４】
前記カード搬送路３６０は、図１０、図１１並びに図１４のカードリーダライタ３２７の縦断面図に示すように、前記カード発行・挿入口３１８からの挿入方向の先端側に前記ビジターカード３８を格納して待機させることが可能な待機領域部３６６と、該待機領域部３６６と前記カード発行・挿入口３１８との間に前記会員カード３７を配置可能とされ、その略中央位置に前記通信ヘッド３６５が配置された記録媒体処理領域部３６７と、から構成されており、前記待機領域部３６６にビジターカード３８を待機させた状態において、前記カード発行・挿入口３１８より前記会員カード３７を受け付けることが可能とされている。
【００８５】
また、本実施例では図１０に示すように、前記待機領域部３６６においては前記カード搬送路３６０の搬送方向の略中央部位置に、前記第２駆動モータにより駆動される無端状に架設された主搬送ベルト３５４ａと、該主搬送ベルト３５４ａに対向して回動自在に設けられた無端状の従搬送ベルト３５４ｂとから成る第２搬送部が設けられており、この待機領域部３６６にて待機される前記ビジターカード３８は、図１１に示すように主搬送ベルト３５４ａと従搬送ベルト３５４ｂとの間に狭持された状態にて格納されるようになっている。
【００８６】
このように、第２記録媒体である前記ビジターカード３８を前記待機領域部３６６にて狭持した状態にて待機させるようにすることは、これら第２記録媒体であるビジターカード３８の搬送を迅速に行うことができるようになることから好ましいが、本発明はこれに限定されるものではない。
【００８７】
一方、前記記録媒体処理領域部３６７においては前記カード搬送路３６０の搬送方向の両脇位置に、前記第１駆動モータにより駆動される無端状に架設された２組の主搬送ベルト３５３ａ，３５３ａ’と従搬送ベルト３５３ｂ，３５３ｂ’とから成る第１搬送部が設けられ、前記第２搬送部が、前記２組の搬送ベルト間に位置するようになっているとともに、該２組の搬送ベルト間に前記通信ヘッド３６５が位置するように配置されている。
【００８８】
このように、前記第２搬送部の搬送ベルトを、前記第１搬送部の２組の搬送ベルトの間に位置するように設けることは、前記記録媒体処理領域部３６７と待機領域部３６６との間における記録媒体の移動をより円滑に実施でき、これら記録媒体の詰まり等の発生を低減できることから好ましいが、本発明はこれに限定されるものではない。
【００８９】
また、第１搬送部である前記記録媒体処理領域部３６７の搬送ベルトを２組として搬送方向の両脇位置に設けるようにすることは、本実施例に用いた会員カード３７やビジターカード３８のように、アンテナコイル８３，９１がカードの中央位置にある場合において、これらアンテナコイル８３，９１と前記通信ヘッド３６５との距離を非常に短いものにできることから好ましいが、本発明はこれに限定されるものではない。
【００９０】
また、前記カード発行・挿入口３１８の近傍位置には、図１０並びに図１１に示すように、ソレノイド３５５により前記カード発行・挿入口３１８に出没自在とされた阻止片としてのシャッタ３６９が設けられており、該ソレノイド３５５は図１２に示すように前記コントロール基板３６２に接続されて、該コントロール基板３６２により前記シャッタ３６９による阻止状態の実施／解除が制御されるようになっている。
【００９１】
また、前記カード搬送路３６０には、前記カード発行・挿入口３１８から前記待機領域部３６６に向けて、前記会員カード３７或いはビジターカード３８の存在を検出するための５つのフォトセンサＳ１〜Ｓ５が設けられており、該フォトセンサＳ１〜Ｓ５上に会員カード３７或いはビジターカード３８が存在して光が遮られることで、フォトセンサＳ１〜Ｓ５から所定電圧の信号が前記コントロール基板３６２に出力されるようになっている。
【００９２】
前記第１検出部としてのフォトセンサＳ１は、前記カード搬送路３６０のカード発行・挿入口３１８の直近位置に設けられていて、該カード発行・挿入口３１８からの会員カード３７の挿入或いは抜き取りを前記コントロール基板３６２が検知できるようになっている。
【００９３】
また、前記第２検出部としてのフォトセンサＳ４は、前記記録媒体処理領域部３６７の挿入方向先端側近傍位置に設けられており、前記記録媒体処理領域部３６７の２組の搬送ベルトにて搬送されてきた会員カード３７が、前記通信ヘッド３６５に対応する所定の停止位置に近接したことを前記コントロール基板３６２が検知できるようになっている。
【００９４】
また、前記第３検出部としてのフォトセンサＳ３は、前記記録媒体処理領域部３６７内の前記通信ヘッド３６５とカード発行・挿入口３１８との間の所定位置に設けられており、前記待機領域部３６６より搬送されてきたビジターカード３８が前記通信ヘッド３６５に対応する所定の停止位置に近接したことを前記コントロール基板３６２が検知できるようになっている。
【００９５】
また、フォトセンサＳ２は、前記カード発行・挿入口３１８から挿入された会員カード３７が該フォトセンサＳ２にて検出されることで、前記コントロール基板３６２が前記第１駆動モータ３５２ａを動作させて前記記録媒体処理領域部３６７内の搬送ベルトを稼働させるために、前記搬送ベルトのカード発行・挿入口３１８側の直近位置に設けられている。
【００９６】
また、前記待機検出部としてのフォトセンサＳ５は、前記待機領域部３６６のカード挿入方向の先端側位置に設けられることにより、該待機領域部３６６にビジターカード３８が存在するか否かを前記コントロール基板３６２が検知できるようになっており、このフォトセンサＳ５によるビジターカード３８の待機／非待機の情報（信号）は、図１２のブロック図に示すように、コントロール基板３６２に設けられたＩ／Ｏポート３７３の１端子より出力されることで、図１０中におけるコントロール基板３６２の下方位置に設けられているフラットケーブルコネクタ３７０に接続されたフラットケーブル（図示略）を介して、カードユニット３の制御ユニット３２８に伝達され、制御ユニット３２８が前記ビジターカード３８の待機／非待機を確認できるようになっている。
【００９７】
このように本実施例では、カードユニット３全体の制御を行う制御ユニット３２８とカードリーダライタ３２７とを前記フラットケーブルにて接続しており、該フラットケーブルを介して前記制御ユニット３２８のＩ／Ｏポート３３２ａとコントロール基板３６２に設けられたＩ／Ｏポート３７３とが、各信号線にて信号を送受してデータや情報の送受、具体的には、前記ビジターカード３８の待機／非待機の信号やエラー信号、消費信号（貸し出し可能）並びに処理完了信号に加えて、データ信号（データ線８本+送受信号線２本）や前記ビジターカード３８の発行時或いは価値加算時に前記制御ユニット３２８より送信される発行信号や価値加算信号、並びに前記発行に伴う現金投入時において前記制御ユニット３２８より送信される前記シャッタ３６９の開閉信号（入金信号）等が送受されるようになっている。
【００９８】
また、前記フラットケーブルコネクタ３７０の隣接位置には、本実施例では使用していないが、例えば前記ビジターカード３８の売上を管理するための第三者機関が管理する管理装置等の外部機器に対して、前記発行（＝使用）度数や障害データ等の各種情報を送信可能なシリアルポート３８０が設けられている。
【００９９】
この本実施例のカードリーダライタ３２７の構成は、図１２に示すようになっており、前述のように第１搬送部を駆動する第１駆動モータ３５２ａ並びに第２搬送部を駆動する第２駆動モータ３５２ｂの駆動を、各駆動モータ３５２ａ，３５２ｂに内蔵されているロータリエンコーダによるパルス情報に基づき制御するモータコントローラ３６１並びに前記Ｉ／Ｏポート３７３やカードリーダライタ３２７の制御を行うコントロールＩＣ３６４並びに該コントロールＩＣの制御プログラムや各カードから読み出し或いは書き込みされるデータ等が記憶されるメモリ３６８が設けられた前記コントロール基板３６２や、前記通信ヘッド３６５をその先端部に有するとおともに、該通信ヘッド３６５を介して前記会員カード３７とビジターカード３８との非接触通信を行うための送受信モジュールＩＣ等が実装されたリードライト基板３６３や、前記センサＳ１〜Ｓ５並びにソレノイド３５５とが設けられており、これら各部が図１２に示すように接続され、前記コントロールＩＣ３６４が実装されたコントロール基板３６２にてその動作が制御されるようになっている。
【０１００】
上述のように構成されたカードリーダライタ３２７において、前記カード発行・挿入口３１８から会員カード３７が挿入された際の制御状況を、図１３に示すタイミングチャート並びに図１４〜図１７に示すカードリーダライタ３２７の縦断面図に基づき説明する。
【０１０１】
まず、前記カードリーダライタ３２７に会員カード３７が挿入されていない場合において、シャッタ３６９は開放状態、各センサＳ１〜Ｓ４は非検出状態、駆動モータ３５２ａ、３５２ｂは停止状態であり、前記制御ユニット３２８からの前記開閉信号（入金信号）の検出待ち、または会員カード３７の挿入検出待ちの状態である。
【０１０２】
この状態で、図１４（ａ）に示すように、会員カード３７がカード発行・挿入口３１８に挿入されると、該挿入された会員カード３７がセンサＳ１にて検出されると、会員カードの挿入があったことを検知してセンサＳ２の検出待ちとなり、図１４（ｂ）に示すように、前記挿入された会員カード３７が第１搬送部の直前に設けられた前記センサＳ２に到達して検出されると（Ｔａ１）、前記コントロールＩＣ３６４は第１駆動モータ３５２ａの駆動を開始し（Ｔａ２）、会員カード３７をカード挿入方向に搬送する。
【０１０３】
次いで、前記搬送された会員カード３７が、図１５（ａ）に示すように、センサＳ４に到達して検出されると（Ｔａ３）、前記第１駆動モータ３５２ａの減速を開始するとともに、ステップのカウントを開始する。一方、図１５（ｂ）に示すように、搬送方向の会員カード３７の後端が前記センサＳ１を通過し、センサＳ１の非検出状態への移行に基づいて前記シャッタ３５９を閉鎖する（Ｔａ４）。
【０１０４】
また、前記コントロールＩＣ３６４は、前記Ｔａ３の段階にて開始したカウントが所定のα１ステップ分に達した時点にて前記第１駆動モータ３５２ａが停止するように制御することで、挿入された会員カード３７が、前記通信ヘッド３６５との非接触によるデータの送受が可能な所定の停止位置に停止、保持され（Ｔａ５）、会員カード３７に記録されている記録データの読み出しがなされて前記使用処理や価値加算処理に伴うデータの更新記録がなされる。
【０１０５】
次いで、前記返却ボタン１５が操作された場合には、前記停止位置に保持されている会員カード３７に、更新する記録データを記録した後、図１６（ａ）に示すように、まずシャッタ３６９を開放し（Ｔａ６）、前記第１駆動モータ３５２ａの駆動を開始して（Ｔａ７）、会員カード３７をカード排出方向に搬送する。
【０１０６】
該搬送により、図１６（ｂ）に示すように、センサＳ３が非検出状態となった時点においてステップのカウントを開始し（Ｔａ８）、該ステップのカウントがα２ステップに達して会員カード３７が搬送ベルトから外れた段階にて前記第１駆動モータ３５２ａの駆動を停止し（Ｔａ９）、所定の抜き取り可能位置（図１６（ｂ）の位置）に停止させる。
【０１０７】
この抜き取り可能位置に停止された会員カード３７が、図１７（ａ）（ｂ）に示すように抜き取られると、センサＳ２並びにセンサＳ１が順次非検出状態となる（Ｔａ１０、Ｔａ１１）ことで、抜き取り完了を判断し、再び前記制御ユニット３２８からの入金信号の検出待ち、または会員カード３７の挿入検出待ちの状態となる。
【０１０８】
次に、前記カードリーダライタ３２７内におけるビジターカード３８の発行状況を図１８に示すタイミングチャート並びに図１９〜図２４に示すカードリーダライタ３２７の断面図に基づき説明する。
【０１０９】
まず、前記カードリーダライタ３２７に会員カード３７が挿入されていない場合においては、図１９に示すように、ビジターカード３８は待機位置に収納されており、前記入金信号は非検出状態（ＬＯＷ）、消費信号は非検出状態（前回の貸出処理を実施中であれば消費信号の検出有り）、シャッタ３６９は開放状態、各センサＳ１〜Ｓ４は非検出状態、センサＳ５は検出（待機）状態、駆動モータ３５２ａ、３５２ｂは停止状態であり、前記制御ユニット３２８からの入金信号の出力待ち、または会員カード３７の挿入検出待ちの状態である。
【０１１０】
この状態で、前記紙幣識別ユニット３２２または硬貨識別ユニット３２４にて１０００円紙幣または５００円硬貨が投入、識別され、前記制御ユニット３２８から入金信号（閉鎖信号）が出力されると（Ｔｂ１）、前記コントロールＩＣ３６４は、図２０（ａ）に示すように、シャッタ３５９を閉鎖し（Ｔｂ２）、第１および第２駆動モータ３５２ａ、３５２ｂの駆動を開始して（Ｔｂ３）、待機領域部３６６に収納されているビジターカード３８を記録媒体処理領域部に搬送する。
【０１１１】
該搬送により、図２０（ｂ）に示すように、センサＳ３が前記搬送中のビジターカード３８を検出した時点において、第２駆動モータ３５２ｂの駆動を停止するとともに第１駆動モータ３５２ａの減速を開始し、且つステップのカウントを開始する（Ｔａ４）。
【０１１２】
このステップのカウントが所定のβ１ステップ分に達した時点にて前記第１駆動モータ３５２ａが停止するように前記コントロールＩＣ３６４が制御することで、ビジターカード３８が前記通信ヘッド３６５との非接触によるデータの送受が可能な所定の停止位置に停止、保持される（Ｔｂ５）。
【０１１３】
該停止位置においてカードＩＤの読み取り並びに入金額に基づく度数（１０度若しくは５度）の書き込みを完了した段階で、図２１（ａ）に示すように、シャッタ３５９を開放し（Ｔｂ６）、前記第１駆動モータ３５２ａの駆動を開始して（Ｔｂ７）、前記停止位置に保持されているビジターカード３８をカード排出方向に搬送する。
【０１１４】
次いで、図２１（ｂ）に示すように、搬送中のビジターカード３８をセンサＳ１が検出状態となった時点においてステップのカウントを開始し（Ｔｂ８）、該ステップのカウントがβ２ステップに達した段階にて前記第１駆動モータ３５２ａの駆動を停止することで（Ｔｂ９）、ビジターカード３８の先端部分がカード発行・挿入口３１８から目視可能ではあるが、該カード発行・挿入口３１８の前面に設けられた抜き取り防止部材３１９から突出しない一時返却位置（図２１（ｂ）の位置）にビジターカード３８が停止される。
【０１１５】
このビジターカード３８が一時返却位置に停止されてから、所定の返却時間（本実施例では１秒）が経過した後、第１駆動モータ３５２ａの正転駆動（ＦＷ）を開始して（Ｔｂ１０）、ビジターカード３８をカード挿入方向に搬送するとともに、図２２（ａ）に示すように、センサＳ１が非検出状態となった時点でシャッタ３５９を閉鎖する（Ｔｂ１１）。
【０１１６】
次いで、図２２（ｂ）に示すように、センサＳ３が非検出状態となった時点にて、前記コントロールＩＣ３６４は、前記第１駆動モータ３５２ａの減速を開始するとともに、ステップのカウントを開始し（Ｔｂ１２）、該カウントが所定のβ３ステップ分に達した時点にて前記第１駆動モータ３５２ａが停止するように制御するとともに（Ｔｂ１３）、図２３（ａ）に示すように、該第１駆動モータ３５２ａの逆転駆動を開始して（Ｔｂ１４）、ビジターカード３８をカード排出方向に搬送する。
【０１１７】
該搬送に伴い、図２３（ｂ）に示すように、搬送中のビジターカード３８をセンサＳ３が検出状態となった時点にて、前記コントロールＩＣ３６４は、前記第１駆動モータ３５２ａの減速を開始するとともに、ステップのカウントを開始し（Ｔｂ１５）、該カウントが所定のβ４ステップ分に達した時点にて第１駆動モータ３５２ａが停止するように制御することで、ビジターカード３８を前記通信ヘッド３６５との非接触によるデータの送受が可能な所定の停止位置に停止、保持するとともに（Ｔｂ１６）、制御ユニット３２８に対して玉貸開始が可能であることを示す消費信号を出力する。
【０１１８】
この消費信号の出力に伴い、前記制御ユニット３２８は、該発行されたビジターカード３８に付与された度数の前記使用処理（パチンコ玉の貸し出し）を実施する。
【０１１９】
次いで、前記コントロールＩＣ３６４は、ビジターカード３８に記録された度数を０度に更新した後、前記第１並びに第２駆動モータ３５２ａ、３５２ｂの逆転駆動を開始し（Ｔｂ１７）、ビジターカード３８をカード挿入方向に搬送し、図２４（ａ）に示すように、搬送中のビジターカード３８をセンサＳ５が検出してから所定のβ５ステップのカウント時点にて前記第１並びに第２駆動モータ３５２ａ、３５２ｂが停止するように制御して前記待機位置（図２４（ｂ）の位置）に停止させ、ビジターカード３８を収納した後（Ｔｂ１９）、シャッタ３５９を開放して（Ｔｂ２０）、再び前記制御ユニット３２８からの入金信号の検出待ち、または会員カード３７の挿入待ちの状態となる。
【０１２０】
このように、本実施例では、前記通信ヘッド３６５に対応する停止位置に会員カード３７並びにビジターカード３８を停止させる際に、前記センサＳ４やセンサＳ３による検出から所定のステップにて前記第１駆動モータを停止させることにより、停止位置の精度を向上するようにしているが、本発明はこれに限定されるものではない。
【０１２１】
また、本実施例では、前記記録媒体処理部領域部３６７内に前記会員カード３７或いはビジターカード３８が存在する場合には、前記シャッタ３５９が閉じて他のカードの挿入を阻止するようにしているが、これらシャッタ３５９を閉じるタイミングや状況等は、本実施例に限定されるものではなく、これらシャッタ３５９を閉じるタイミングや状況等は適宜に設定すれば良い。
【０１２２】
前記各実施例における各要素は、本発明に対して以下のように対応している。
本発明の請求項１は、データ記録可能とされるとともに複数の記録媒体処理装置（カードリーダライタ３２７）にて使用可能とされた第１記録媒体（会員カード３７）を受け付ける記録媒体挿入口（カード発行・挿入口３１８）と、前記記録媒体（会員カード３７）の挿入方向先端位置に形成され、その記録媒体処理装置（カードリーダライタ３２７）においてのみ使用可能とされた１枚の第２記録媒体（ビジターカード３８）が待機可能な待機領域部３６６と、前記両記録媒体（会員カード３７、ビジターカード３８）の記録情報を少なくとも読み取る記録媒体処理部（通信ヘッド３６５）が設けられ、前記待機領域部３６６と前記記録媒体挿入口（カード発行・挿入口３１８）との間に形成される記録媒体処理領域部３６７とから成り、前記カード挿入口（カード発行・挿入口３１８）に連通する記録媒体搬送路（カード搬送路３６０）と、前記記録媒体処理領域部３６７内に位置する記録媒体（会員カード３７、ビジターカード３８）を搬送する第１搬送部（主搬送ベルト３５３ａ，３５３ａ’、従搬送ベルト３５３ｂ，３５３ｂ’）と、前記待機領域部３６６に位置する前記第２記録媒体（ビジターカード３８）を搬送する第２搬送部（主搬送ベルト３５４ａ、従搬送ベルト３５４ｂ）と、前記第１搬送部（主搬送ベルト３５３ａ，３５３ａ’、従搬送ベルト３５３ｂ，３５３ｂ’）と前記第２搬送部（主搬送ベルト３５４ａ、従搬送ベルト３５４ｂ）とを個別に駆動可能な駆動部（第１駆動モータ３５２ａ、第２駆動モータ３５２ｂ）と、前記記録媒体挿入口（カード発行・挿入口３１８）の近傍位置に設けられ、少なくとも前記記録媒体挿入口（カード発行・挿入口３１８）からの前記第１記録媒体（会員カード３７）の挿入を検出するための第１検出部（フォトセンサＳ１）と、前記第１検出部（フォトセンサＳ１）による前記第１記録媒体（会員カード３７）の検出に基づき、該検出された第１記録媒体（会員カード３７）を前記第１搬送部（主搬送ベルト３５３ａ，３５３ａ’、従搬送ベルト３５３ｂ，３５３ｂ’）が前記記録媒体処理部（通信ヘッド３６５）に対応する所定の停止位置に搬送するように前記駆動部（第１駆動モータ３５２ａ、第２駆動モータ３５２ｂ）を動作させるとともに、所定の排出条件（返却ボタン１５の入力）の成立に基づき前記記録媒体処理部（通信ヘッド３６５）に対応する所定の停止位置に存在する前記第１記録媒体（会員カード３７）を前記第１搬送部（主搬送ベルト３５３ａ，３５３ａ’、従搬送ベルト３５３ｂ，３５３ｂ’）が前記記録媒体挿入口（カード発行・挿入口３１８）に搬送するように前記駆動部（第１駆動モータ３５２ａ、第２駆動モータ３５２ｂ）を動作させ、且つ、所定の発行指示入力に基づき前記待機領域部３６６に待機している前記第２記録媒体（ビジターカード３８）を前記第１搬送部（主搬送ベルト３５３ａ，３５３ａ’、従搬送ベルト３５３ｂ，３５３ｂ’）と前記第２搬送部（主搬送ベルト３５４ａ、従搬送ベルト３５４ｂ）とが前記記録媒体処理部（通信ヘッド３６５）に対応する所定の停止位置に搬送するように前記駆動部（第１駆動モータ３５２ａ、第２駆動モータ３５２ｂ）を動作させるとともに、所定の回収条件（度数＝０への更新終了後）の成立に基づき前記記録媒体処理部（通信ヘッド３６５）に対応する所定の停止位置に存在する前記第２記録媒体（ビジターカード３８）を前記第１搬送部（主搬送ベルト３５３ａ，３５３ａ’、従搬送ベルト３５３ｂ，３５３ｂ’）と前記第２搬送部（主搬送ベルト３５４ａ、従搬送ベルト３５４ｂ）とが前記待機領域部３６６に搬送するように前記駆動部（第１駆動モータ３５２ａ、第２駆動モータ３５２ｂ）を動作させる制御部（コントロール基板３６２）と、を具備する。
【０１２３】
本発明の請求項２は、前記記録媒体処理部（通信ヘッド３６５）は、前記記録媒体（会員カード３７、ビジターカード３８）に対して記録情報の書き込み或いは書き換え（更新）を実施可能とされている。
【０１２４】
本発明の請求項３は、前記記録媒体（会員カード３７、ビジターカード３８）が非接触ＩＣ記録媒体（ＩＣカード）であって、前記記録媒体処理部（通信ヘッド３６５）は該非接触ＩＣ記録媒体（ＩＣカード）と非接触にて記録情報の読み取り或いは読み取り／書き込み（更新）を実施可能とされている。
【０１２５】
本発明の請求項４は、前記制御部（コントロール基板３６２）は、所定の発行指示入力に基づき前記待機領域部３６６から前記記録媒体処理部（通信ヘッド３６５）に対応する所定の停止位置に搬送した第２記録媒体（ビジターカード３８）を、前記記録媒体処理部（通信ヘッド３６５）による処理（度数の書き込み処理）の完了後に、該第２記録媒体（ビジターカード３８）を外部から目視確認可能な位置（一時返却位置）まで前記第１搬送部（主搬送ベルト３５３ａ，３５３ａ’、従搬送ベルト３５３ｂ，３５３ｂ’）が搬送するように前記駆動部（第１駆動モータ３５２ａ）を動作させるとともに、該目視確認可能な位置（一時返却位置）にある第２記録媒体（ビジターカード３８）を前記記録媒体処理部（通信ヘッド３６５）に対応する所定の停止位置に前記第１搬送部（主搬送ベルト３５３ａ，３５３ａ’、従搬送ベルト３５３ｂ，３５３ｂ’）が再度搬送するように前記駆動部（第１駆動モータ３５２ａ）を動作させる。
【０１２６】
本発明の請求項５は、前記各搬送部は、前記駆動部（第１駆動モータ３５２ａ、第２駆動モータ３５２ｂ）による駆動力が伝達される主搬送ベルト３５３ａ、３５３ａ７、３５４ａと、該主搬送ベルト３５３ａ、３５３ａ７、３５４ａと前記記録媒体搬送路（カード搬送路３６０）を挟んだ対向位置に設けられて前記主搬送ベルト３５３ａ、３５３ａ７、３５４ａが駆動されることにより駆動力が伝達される従搬送ベルト３５３ｂ、３５３ｂ７、３５４ｂと、から成り、前記従搬送ベルト３５３ｂ、３５３ｂ７、３５４ｂを前記主搬送ベルト３５３ａ、３５３ａ７、３５４ａ側に可動可能に付勢する付勢部（スプリング３５８）を備える。
【０１２７】
本発明の請求項６は、前記記録媒体処理領域部３６７に配置され、前記記録媒体挿入口（カード発行・挿入口３１８）より挿入されて前記第１搬送部（主搬送ベルト３５３ａ，３５３ａ’、従搬送ベルト３５３ｂ，３５３ｂ’）により前記記録媒体処理部（通信ヘッド３６５）に対応する所定の停止位置に搬送される前記第１記録媒体（会員カード３７）が前記停止位置に近接したことを検出する第２検出部（フォトセンサＳ４）を備え、前記制御部（コントロール基板３６２）は、前記駆動部の駆動中における前記第２検出部（フォトセンサＳ４）による前記第１記録媒体（会員カード３７）の検出に基づき、前記駆動部（第１駆動モータ３５２ａ）を該検出した時から更に予め設定されたステップ数分（α１ステップ）の駆動にて停止させる。
【０１２８】
本発明の請求項７は、前記記録媒体処理領域部３６７に配置され、前記第２搬送部（主搬送ベルト３５４ａ、従搬送ベルト３５４ｂ）により前記待機領域部３６６から前記記録媒体処理部（通信ヘッド３６５）に対応する所定の停止位置に搬送される前記第２記録媒体（ビジターカード３８）が前記停止位置に近接したことを検出する第３検出部（フォトセンサＳ３）を備え、前記制御部（コントロール基板３６２）は、前記駆動部の駆動中における前記第３検出部（フォトセンサＳ３）による前記第２記録媒体（ビジターカード３８）の検出に基づき、前記駆動部（第１駆動モータ３５２ａ）を該検出した時から更に予め設定されたステップ数分（β１ステップ）の駆動にて停止させる。
【０１２９】
本発明の請求項８は、前記第２記録媒体（ビジターカード３８）は、前記待機領域部３６６において前記第２搬送部（主搬送ベルト３５４ａ、従搬送ベルト３５４ｂ）に狭持された状態とされている。
【０１３０】
本発明の請求項９は、前記駆動部は、前記第１搬送部（主搬送ベルト３５３ａ，３５３ａ’、従搬送ベルト３５３ｂ，３５３ｂ’）を駆動する第１駆動部（第１駆動モータ３５２ａ）と、前記第２搬送部（主搬送ベルト３５４ａ、従搬送ベルト３５４ｂ）を駆動する第２駆動部（第２駆動モータ３５２ｂ）とから構成されている。
【０１３１】
本発明の請求項１０は、前記記録媒体挿入口（カード発行・挿入口３１８）からの記録媒体（会員カード３７）の挿入を阻止する阻止片（シャッタ３６９）を備え、前記制御部（コントロール基板３６２）は、少なくとも前記記録媒体処理領域部３６７内に前記記録媒体（会員カード３７、ビジターカード３８）が存在する場合においては、前記阻止片（シャッタ３６９）を阻止状態（閉鎖状態）とする。
【０１３２】
本発明の請求項１１は、前記阻止片（シャッタ３６９）による阻止状態（閉鎖状態）の実施／解除（閉鎖／解放）を外部より受け付ける阻止受付け部（Ｉ／Ｏポート３７３）を有する。
【０１３３】
本発明の請求項１２は、前記主搬送ベルト３５３ａ、３５４ａ並びに前記駆動部（第１駆動モータ３５２ａ、第２駆動モータ３５２ｂ）とを備える基台３５０と、前記従搬送ベルト３５３ｂ、３５３ｂ７、３５４ｂを備える開閉可能なカバー３５９とで構成される。
【０１３４】
本発明の請求項１３は、前記記録媒体処理部（通信ヘッド３６５）並びに前記制御部（コントロール基板３６２）を、前記基台３５０側に有する。
【０１３５】
本発明の請求項１４は、前記第１搬送部（主搬送ベルト３５３ａ，３５３ａ’、従搬送ベルト３５３ｂ，３５３ｂ’）は、搬送方向の両脇位置に２組の前記主搬送ベルト３５３ａ、３５３ａ’と前記従搬送ベルト３５３ｂ、３５３ｂ’を有するとともに、該２組の搬送ベルト３５３ａ、３５３ａ’、３５３ｂ、３５３ｂ’の間に位置する領域に前記記録媒体処理部（通信ヘッド３６５）を有する。
【０１３６】
本発明の請求項１５は、前記第２搬送部（主搬送ベルト３５４ａ、従搬送ベルト３５４ｂ）が１組の前記主搬送ベルト３５４ａと前記従搬送ベルト３５４ｂにて形成され、前記第１搬送部（主搬送ベルト３５３ａ，３５３ａ’、従搬送ベルト３５３ｂ，３５３ｂ’）の２組の搬送ベルト３５３ａ、３５３ａ’、３５３ｂ、３５３ｂ’間に位置するように設けられている。
【０１３７】
本発明の請求項１６は、前記待機領域部３６６に前記第２記録媒体（ビジターカード３８）が存在するか否かを検出する待機検出部（フォトセンサＳ５）と、該第２記録媒体（ビジターカード３８）の待機／非待機を識別可能に出力する待機状況出力部（Ｉ／Ｏポート３７３）と、を備える。
【０１３８】
本発明の請求項１７は、前記第１記録媒体（会員カード３７）と前記第２記録媒体（ビジターカード３８）とは搬送方向の長さが異なり、前記制御部（コントロール基板３６２）は、これら長さが異なる双方の記録媒体（会員カード３７、ビジターカード３８）を、前記記録媒体処理部（通信ヘッド３６５）に対応する所定の停止位置に停止するように前記駆動部（第１駆動モータ３５２ａ）を制御する。
【０１３９】
本発明の請求項１８は、遊技に使用可能な遊技用有価価値（度数）の大きさを特定可能な情報が記録された記録媒体（会員カード３７、ビジターカード３８）である遊技用記録媒体（会員カード３７、ビジターカード３８）の記録情報より特定される大きさの遊技用有価価値（度数）を遊技に使用させるための使用処理（貸出処理）と、貨幣を受け付けて該受け付け貨幣の金額の範囲内における所定額に相当する大きさの遊技用有価価値（度数）が付与された前記第２記録媒体（ビジターカード３８）を発行する発行処理と、予め会員登録を行った会員遊技者に対して発行された前記第１記録媒体（会員カード３７）を受け付け、該第１記録媒体（会員カード３７）に残存する遊技用有価価値（度数）の大きさに受け付けた貨幣の金額の範囲内における所定額に相当する大きさの遊技用有価価値（度数）を加算更新する価値加算処理（追加入金）と、を実施可能とされ、遊技機（パチンコ機２）に対応して設けられた遊技用装置（カードユニット３）であって、前記各処理（貸出処理、発行処理、追加入金）において、前記第１記録媒体（会員カード３７）或いは前記第２記録媒体（ビジターカード３８）の記録情報を少なくとも読み出す記録媒体処理装置として前記請求項１〜１７のいずれかに記載の記録媒体処理装置（カードリーダライタ３２７）を用いる。
【０１４０】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【０１４１】
例えば、前記実施例では、記録媒体処理装置であるカードリリーダライタ３２７を遊技場に設置される遊技用装置であるカードユニット３に用いた例を示しているが、本発明はこれに限定されるものではなく、これら記録媒体処理装置は、会員カードとその他のプリペイドカード等の複数種別の記録媒体を併用使用する装置であれば、ゲームセンターや一般店舗等に設置される各種装置等に適用できることは言うまでもない。
【０１４２】
また、前記実施例では、記録媒体処理装置として記録媒体である非接触ＩＣカードの記録情報の読み出し並びに書き込み（更新）が可能とされているが、本発明はこれに限定されるものではなく、非接触ＩＣカードの記録情報を読み出し可能なカードリーダとしても良い。
【０１４３】
また、前記実施例では、カードリーダライタ３２７の通信ヘッド３６５として、前記会員カード３７並びにビジターカード３８である非接触ＩＣカードと、非接触にてデータの入出力（送受信）が可能とされているが、本発明はこれに限定されるものではなく、使用する記録媒体の仕様に適宜合わせたもの、例えば接触型のＩＣカードであればコンタクト端子を備えたコンタクトヘッドとすれば良いし、記録媒体が磁気カードであれば磁気ヘッドとすれば良い。
【０１４４】
また、前記実施例では、カードリリーダライタ３２７が前記制御ユニット３２８からの発行信号の受信に基づき、前述のように、待機領域部３６６に待機させているビジターカード３８に、データ信号にて出力されてきた投入金額に相当する度数を記録した後、該ビジターカード３８の排出方向先端部を目視可能な所定の一時返却（発行）位置に排出した後、自動的に該一時返却（発行）したビジターカード３８を再度取り込んで前記付与した度数の使用処理を行った後に該ビジターカード３８を回収するように前記コントロール基板３６２が制御するようになっており、このようにすることは、前記ビジターカード３８が一時返却時に抜き取られることがなく、これら抜き取られたビジターカード３８を逐次補充する手間を低減できるとともに、該一時返却（発行）されたビジターカード３８を遊技者が挿入する手間並びに使用処理を実施させるための操作を省くことができることから好ましいが、本発明はこれに限定されるものではなく、これらビジターカード３８の一時返却（発行）時における制御内容は、適宜に変更することができる。
【０１４５】
また、前記実施例では、前記搬送部の主搬送ベルト３５３ａ，３５３ａ’，３５４ａのみを各駆動モータ３５２ａ，３５２ｂにて駆動するようにしているが、本発明はこれに限定されるものではなく、前記従搬送ベルト３５３ｂ，３５３ｂ’，３５４ｂも駆動するようにしても良い。
【０１４６】
また、前記実施例では、前記従搬送ベルト３５３ｂ，３５３ｂ’，３５４ｂをスプリング３５８にて付勢しており、このようにすることは、駆動モータにて駆動される前記主搬送ベルト３５３ａ，３５３ａ’，３５４ａを可動可能にするには、ユニバーサルジョイント等の複雑な機構を必要となるのに対し、これら複雑な機構を設ける必要がなく、装置の構成を簡素化できることから好ましいが、本発明はこれに限定されるものではなく、前記主搬送ベルト３５３ａ，３５３ａ’，３５４ａを可動可能としたり、主搬送ベルト並びに従搬送ベルトの双方を可動可能に付勢しても良い。
【０１４７】
また、前記実施例では、駆動部として前記第１搬送部を駆動する第１駆動モータ３５２ａと、前記第２搬送部を駆動する第１駆動モータ３５２ｂの２つのモータを各搬送部毎に設けて、各搬送部毎の個別の動作を可能としており、このようにすることは、これら第１搬送部と第２搬送部の動作制御を個々の駆動モータを制御することで簡便に実施できるようになり、制御できる自由度が高まるばかりか、その制御方法も容易にできることから好ましいが、本発明はこれに限定されるものではなく、前記両搬送部を１つの駆動モータにて個別に駆動するようにしても良い。
【０１４８】
また、前記実施例のカードユニット３では、会員カード３７に記録された貯蓄玉数を使用してパチンコ玉の払い戻しを実施して対応するパチンコ機２での遊技を実施することができる払い戻し処理が実施可能とされているが、本発明はこれに限定されるものではなく、少なくとも、前記会員カード３７並びにビジターカード３８の度数を使用して貸出処理が実施可能とされていれば良く、前記払い戻し処理が実施不可とされた構成とされていても良い。
【０１４９】
また、前記実施例のカードユニット３では、千円札紙幣または５００円硬貨のみを受付け会員カード３７への追加入金並びにビジターカード３８の発行処理が実施できるようになっているが、本発明はこれに限定されるものではなく、多金種の紙幣並びに硬貨を受付けて会員カード３７への追加入金並びにビジターカード３８の発行処理ができるものや、紙幣のみを受付けて会員カード３７への追加入金並びにビジターカード３８の発行処理ができるもの、硬貨のみを受付けて会員カード３７への追加入金並びにビジターカード３８の発行処理ができるもの、キャッシュカードやクレジットカードを用いて会員カード３７への追加入金並びにビジターカード３８の発行処理ができるもの、電子マネーや金融機関の現金振込等により会員カード３７への追加入金並びにビジターカード３８の発行処理ができるもの等であっても良い。
【０１５０】
また、前記実施例のカードユニット３では、会員カード３７を受付けた際に、該会員カード３７の度数等の各情報を前記ＲＡＭ３３０に記憶し、該記憶した度数を前記貸出処理や追加入金に基づき更新するとともに、返却操作がされた場合には、前記更新した度数を会員カード３７に記録されている度数対して更新記録するようになっているが、本発明はこれに限定されるものではなく、度数が更新される毎に会員カード３７に記録された度数を更新するようにしても良い。
【０１５１】
また、前記実施例では、会員カード３７により特定される遊技用有価価値としての度数が該会員カード３７と管理コンピュータ１００との双方に記録または登録され、管理されるようになっているが、本発明はこれに限定されるものではなく、会員カード３７のみに度数を記録するようにしても良いし、管理コンピュータ１００または第三者機関のカード管理サーバ等にのみ度数を登録し、前記会員カード３７の会員ＩＤ等の識別符号を読み出すことにより、前記登録されている度数を特定するようにしても良い。
【０１５２】
また、前記実施例では遊技用記録媒体として非接触型のＩＣカード３７を用いているが、本発明はこれに限定されるものではなく、これを磁気カードや接触型のＩＣカードとしても良いし、更には識別符号を用いて記録情報を特定できる場合等には、遊技用記録媒体を特定可能な識別符号等の情報を少なくとも読み取り可能に記録できるものであれば良く、例えばバーコード等の所定の情報記録シンボル等が読み取り可能にプリントされた記録媒体や、これら情報記録シンボル等が読み取り可能に表示された情報端末等であっても良い。
【０１５３】
また、前記実施例に用いた遊技用記録媒体としてのＩＣカード３７の形状はカード状とされているが、本発明はこれに限定されるものではなく、例えば円盤形状や球状、チップ状等その他の形状とされていても良い。
【０１５４】
また、前記実施例に用いた会員カード３７は、所定の遊技場内においてのみ使用可能とされているが、本発明はこれに限定されるものではなく、複数の遊技場において使用可能とされた共通会員カードとして使用するようにしても良い。
【０１５５】
また、前記実施例では、会員カード３７に残存する度数の貨幣への精算が不可とされているが、本発明はこれに限定されるものではなく、例えば、精算装置を設けることで、会員カード３７に残存する度数を該度数に相当する金額の貨幣に精算できるようにしても良い。
【０１５６】
また前記実施例では、遊技機であるパチンコ機２において使用される遊技用有価価値の形態として度数や該度数に相当する金額を用いているが、本発明はこれに限定されるものではなく、これら遊技用有価価値を所定のポイントや相当するパチンコ玉数やコイン数としても良く、その形態は任意に選択すれば良い。
【０１５７】
また前記実施例では、遊技機であるパチンコ機２に使用される遊技媒体としてパチンコ玉を用いているが、これら遊技媒体をコインや点数、更には後述する画像式のパチンコ機やスロットマシン等における画像にて形成されたパチンコ玉やコイン等としても良く、これら遊技媒体は遊技において使用され  る媒体であれば、本発明の遊技媒体に含まれるものであり、その形態が限定されるものではない。
【０１５８】
【発明の効果】
本発明は次の効果を奏する。
（ａ）請求項１の発明によれば、その記録媒体処理装置でのみ使用可能な前記第２記録媒体と、複数の記録媒体処理装置で使用可能な前記第１記録媒体の処理を、同一の記録媒体処理装置にて実施できるようになる。
【０１５９】
（ｂ）請求項２の発明によれば、記録情報の書き込み或いは書き換え（更新）用の処理部を別途設ける必要がない。
【０１６０】
（ｃ）請求項３の発明によれば、記録情報の読み取り或いは読み取り／書き込み（更新）が非接触状態で実施されることから、記録媒体の損耗を低減できる。
【０１６１】
（ｄ）請求項４の発明によれば、その装置でしか使用できない前記第２記録媒体の発行処理において、これら発行された第２記録媒体を利用者は目視確認できるとともに、該発行された第２記録媒体が自動的に挿入されるようになり、これら発行された第２記録媒体の挿入操作を行う手間を省くことができる。
【０１６２】
（ｅ）請求項５の発明によれば、前記記録媒体に多少の厚みのばらつきがあっても良好に搬送できるとともに、カードの傷つき等の損耗も低減できる。
【０１６３】
（ｆ）請求項６の発明によれば、前記記録媒体挿入口より挿入された前記第１記録媒体を前記停止位置に高精度にて停止することができ、前記記録媒体処理部による読み出しや書き込み等の処理の精度も向上できる。
【０１６４】
（ｇ）請求項７の発明によれば、前記待機領域部から搬送された前記第２記録媒体を前記停止位置に高精度にて停止することができ、前記記録媒体処理部による読み出しや書き込み等の処理の精度も向上できる。
【０１６５】
（ｈ）請求項８の発明によれば、待機している第２記録媒体の搬送を迅速に行うことができる。
【０１６６】
（ｉ）請求項９の発明によれば、前記第１搬送部と第２搬送部とを個別に駆動するためのクラッチ機構等の複雑な駆動力分配機構が不要となるばかりりか、これら個別駆動のための制御も行い易くできる。
【０１６７】
（ｊ）請求項１０の発明によれば、前記記録媒体処理領域部内に前記記録媒体が存在する場合において前記記録媒体挿入口から他の記録媒体が誤って挿入されてしまうことによる故障を防止できるとともに、装置内部に処理中の記録媒体が存在することが解るようになる。
【０１６８】
（ｋ）請求項１１の発明によれば、例えば前記第２記録媒体の発行に伴う現金の受付け時や前記第１記録媒体の返却操作時等において、外部から前記阻止状態の実施／解除を制御できる。
【０１６９】
（ｌ）請求項１２の発明によれば、前記記録媒体搬送路内に記録媒体の詰まり等を生じた場合に、これら詰まった記録媒体を簡便に取り出すことができ、装置のメンテナンス性を向上できる。
【０１７０】
（ｍ）請求項１３の発明によれば、前記記録媒体処理部並びに前記制御部が前記カバーの開閉に伴って動くことがなく、これら記録媒体処理部並びに制御部の故障発生の危険性を低減できる。
【０１７１】
（ｎ）請求項１４の発明によれば、前記第２搬送部の各搬送ベルトに影響されることなく前記記録媒体処理部を記録媒体に近接或いは当接できるようになるため、前記記録媒体処理部による処理精度を向上できる。
【０１７２】
（ｏ）請求項１５の発明によれば、前記第２搬送部と第１搬送部との間の記録媒体の移動をより円滑に実施でき、これら記録媒体の詰まり等の発生を低減できる。
【０１７３】
（ｐ）請求項１６の発明によれば、外部の機器が前記第２記録媒体の待機／非待機を識別できるようになる。
【０１７４】
（ｑ）請求項１７の発明によれば、前記搬送方向長さが異なる前記第１記録媒体と第２記録媒体とを同一の記録媒体処理装置にて扱うことができる。
【０１７５】
（ｒ）請求項１８の発明によれば、その記録媒体処理装置でのみ使用可能な前記第２記録媒体と、複数の記録媒体処理装置で使用可能な前記第１記録媒体の処理を、同一の記録媒体処理装置にて実施できるようになるため、大幅な設計変更を必要とせずに異なる種別の記録媒体に対応できる遊技用装置を得られるばかりか、装置自体のコストが大幅に上昇してしまうこともない。
【図面の簡単な説明】
【図１】本発明の実施例における遊技用装置が適用された遊技用システムの構成を示す図である。
【図２】本発明の実施例において用いたパチンコ機並びにカードユニットの正面図である。
【図３】本発明の実施例におけるパチンコ機の操作部を示す平面図である。
【図４】（ａ）は、本発明の実施例におけるカードユニットの一部破断側面図並びに背面図である。
【図５】本発明の実施例におけるカードユニット並びにパチンコ機の構成を示すブロック図である。
【図６】（ａ）は、本発明の実施例に用いた会員カードを示す正面図であり、（ｂ）は、ビジターカードを示す正面図である。
【図７】本発明の実施例におけるパチンコ機の賞球制御基板とカードユニットとから出力される各信号の出力状況を示す図である。
【図８】本発明の実施例における管理コンピュータの構成を示すブロック図である。
【図９】（ａ）（ｂ）は、本発明の実施例に用いた管理コンピュータにおけるカード管理ＤＢを構成する会員カードマスターテーブル、カードユニット別データテーブルの登録状況を示す図である。
【図１０】本発明の実施例におけるカードリーダライタの側方断面図である。
【図１１】図１０に示すカードリーダライタのＡ−Ａ断面図である。
【図１２】本発明の実施例におけるカードリーダライタの構成を示すブロック図である。
【図１３】本発明の実施例におけるカードリーダライタの会員カードの搬送状況を示すタイミングチャートである。
【図１４】（ａ）（ｂ）は、本発明の実施例におけるカードリーダライタの会員カードの搬送状況を示す断面図である。
【図１５】（ａ）（ｂ）は、本発明の実施例におけるカードリーダライタの会員カードの搬送状況を示す断面図である。
【図１６】（ａ）（ｂ）は、本発明の実施例におけるカードリーダライタの会員カードの搬送状況を示す断面図である。
【図１７】（ａ）（ｂ）は、本発明の実施例におけるカードリーダライタの会員カードの搬送状況を示す断面図である。
【図１８】本発明の実施例におけるカードリーダライタのビジターカードの搬送状況を示すタイミングチャートである。
【図１９】本発明の実施例におけるカードリーダライタのビジターカードの搬送状況を示す断面図である。
【図２０】（ａ）（ｂ）は、本発明の実施例におけるカードリーダライタのビジターカードの搬送状況を示す断面図である。
【図２１】（ａ）（ｂ）は、本発明の実施例におけるカードリーダライタのビジターカードの搬送状況を示す断面図である。
【図２２】（ａ）（ｂ）は、本発明の実施例におけるカードリーダライタのビジターカードの搬送状況を示す断面図である。
【図２３】（ａ）（ｂ）は、本発明の実施例におけるカードリーダライタのビジターカードの搬送状況を示す断面図である。
【図２４】（ａ）（ｂ）は、本発明の実施例におけるカードリーダライタのビジターカードの搬送状況を示す断面図である。
【符号の説明】
２        カードリーダ式パチンコ機（遊技機）
３        カードユニット（遊技用装置）
８        通信ケーブル
９        信号ケーブル
１４      操作部
１５      返却ボタン
１６      貸出ボタン
１７      度数表示部
１８      操作基板
３１      ユニットホルダ
３１’    スライドレール
３７      会員カード（第１記録媒体、遊技用記録媒体）
３８      ビジターカード（第２記録媒体、遊技用記録媒体）
８１      装着孔
８２      光記録部
８３      アンテナコイル
８４      集積回路
９１      アンテナコイル
９２      集積回路（ＩＣ）
１００    管理コンピュータ
１０１    データバス
１０２    ＣＰＵ
１０３    ＲＡＭ
１０４    ＲＴＣ
１０５    記憶装置
１０６    入力装置
１０７    表示装置
１０８    プリンタ
１０９    通信部
２０２    ガラス扉枠
２０３    打球供給皿
２０４    余剰玉受皿
２０５    打球操作ハンドル（操作ノブ）
２０６    遊技盤
２０７    遊技領域
２０９    可変表示部
２１０    可変表示装置
２１１    通過ゲート
２１４    始動入賞口
２１５    可動片
２１６    可変入賞球装置
２２０    開閉板
２２４    入賞口
２２６    アウト口
２３１    遊技制御基板
２３５    ランプ制御基板
２３７    賞球制御基板
２７０    音声制御基板
２８０    表示制御基板
２９１    発射制御基板
２９７    玉払出装置
３０１    動作ランプ
３０２    紙幣挿入口
３０３    硬貨投入口
３０４    硬貨返却ボタン
３０５    変更可能ランプ
３０６    貸出単位変更ボタン
３０７    貸出単位表示部
３０８    端数ボタン
３０９    度数表示部
３１０    機種設定ランプ
３１１    方向指示ランプ
３１２    挿入中ランプ
３１３    硬貨返却口
３１３’  受部
３１４    会員カード表示部
３１５    テンキー
３１６    エンターキー
３１７    貯玉再プレイ選択ボタン
３１８    カード発行・挿入口（記録媒体挿入口）
３１９    抜き取り防止部材
３２０    第１操作基板
３２１    第２操作基板
３２２    紙幣識別ユニット
３２３    硬貨投入路
３２４    硬貨識別ユニット
３２５    硬貨返却路
３２６    硬貨回収路
３２７    カードリーダライタ（記録媒体処理装置）
３２８    制御ユニット
３２９    ＭＰＵ
３３０    ＲＡＭ
３３１    ＲＯＭ
３３２ａ  Ｉ／Ｏポート
３３２ｂ  Ｉ／Ｏポート
３３２ｃ  Ｉ／Ｏポート
３３４    通信部
３５０    基台
３５２ａ  駆動モータ（駆動部）
３５２ｂ  駆動モータ（駆動部）
３５３ａ  主搬送ベルト（第２搬送部）
３５３ｂ  従搬送ベルト（第２搬送部）
３５４ａ  主搬送ベルト（第１搬送部）
３５４ｂ  従搬送ベルト（第１搬送部）
３５５    ソレノイド
３５６    格納ケース
３５７    回動軸
３５８    スプリング（付勢部）
３５９    カバー
３６０    カード搬送路
３６１    モータコントローラ
３６２    コントロール基板（制御部）
３６３    リードライト基板
３６４    コントロールＩＣ
３６５    通信ヘッド（記録媒体処理部）
３６６    待機領域部
３６７    記録媒体処理領域部
３６８    メモリ
３６９    シャッタ
３７０    フラットケーブルコネクタ
３７３    Ｉ／Ｏポート
３８０    シリアルポート
Ｓ１      フォトセンサ（第１検出部）
Ｓ２      フォトセンサ
Ｓ３      フォトセンサ（第３検出部）
Ｓ４      フォトセンサ（第２検出部）
Ｓ５      フォトセンサ（待機検出部）
【図１】
0004748469.tif 000002
【図２】
0004748469.tif 000003
【図３】
0004748469.tif 000004
【図４】
0004748469.tif 000005
【図５】
0004748469.tif 000006
【図６】
0004748469.tif 000007
【図７】
0004748469.tif 000008
【図８】
0004748469.tif 000009
【図９】
0004748469.tif 000010
【図１０】
0004748469.tif 000011
【図１１】
0004748469.tif 000012
【図１２】
0004748469.tif 000013
【図１３】
0004748469.tif 000014
【図１４】
0004748469.tif 000015
【図１５】
0004748469.tif 000016
【図１６】
0004748469.tif 000017
【図１７】
0004748469.tif 000018
【図１８】
0004748469.tif 000019
【図１９】
0004748469.tif 000020
【図２０】
0004748469.tif 000021
【図２１】
0004748469.tif 000022
【図２２】
0004748469.tif 000023
【図２３】
0004748469.tif 000024
【図２４】
0004748469.tif 000025